(57)【特許請求の範囲】
【請求項１】
放送局から送信されるデジタル放送信号を受信してチャンネルを選局し、選局したチャンネルの相対的に弱い弱階層伝送の番組の映像信号および音声信号を弱階層映像／音声デコード部から出力し、相対的に強い強階層伝送の番組の映像信号および音声信号を強階層映像／音声デコード部から出力する第１および第２の系統と、
第１の系統の弱階層映像／音声デコード部、第１の系統の強階層映像／音声デコード部、第２の系統の弱階層映像／音声デコード部および第２の系統の強階層映像／音声デコード部のうち、いずれか１つから出力される映像信号および音声信号を選択して出力する映像／音声デコード部選択部と、
前記映像／音声デコード部選択部から出力される映像信号に基づいて映像を表示する映像表示部と、
前記映像／音声デコード部選択部から出力される音声信号に基づいて音声を出力する音声出力部と、
各系統が、選局したチャンネルの弱階層伝送または強階層伝送の番組を受信不可能であることを検出する受信不可検出部と、
前記第１および第２の系統に対して選局指示を行うとともに、前記受信不可検出部の検出結果に基づいて、前記映像／音声デコード部選択部を制御する選局制御部と、
前記第１の系統で受信されるデジタル放送信号に含まれる番組情報を用いて、前記第１の系統で選局されるチャンネルの弱階層伝送の番組の内容と強階層伝送の番組の内容とが同一であるか否かを検出し、前記第２の系統で受信されるデジタル放送信号に含まれる番組情報を用いて、前記第２の系統で選局されるチャンネルの弱階層伝送の番組の内容と強階層伝送の番組の内容とが同一であるか否かを検出する番組比較部とを備え、
前記第１の系統は、利用者によって選局されたチャンネルを選局し、
前記第２の系統は、利用者によって選局されたチャンネルの弱階層伝送の番組および強階層伝送の番組の少なくともいずれか一方と同一の内容の弱階層伝送または強階層伝送の番組を放送している他のチャンネルを選局し、
前記選局制御部は、
前記第１の系統が弱階層伝送の番組を受信可能であると判断すると、前記第１の系統の弱階層映像／音声デコード部から出力される映像信号および音声信号を選択して出力するように前記映像／音声デコード部選択部を制御し、
前記第１の系統が弱階層伝送の番組を受信不可能であり、かつ前記第１の系統による強階層伝送の番組の受信、前記第２の系統による弱階層伝送の番組の受信および前記第２の系統による強階層伝送の番組の受信のうち、少なくともいずれか１つが可能であると判断すると、受信可能な番組のうちのいずれか１つの映像信号および音声信号を選択して出力するように前記映像／音声デコード部選択部を制御し、
前記第１および第２の系統が同時にデジタル放送信号を受信不可能であると判断すると、出力する映像信号および音声信号を切換えないように前記映像／音声デコード部選択部を制御し、
前記番組比較部によって、前記第１の系統で選局されるチャンネルの弱階層伝送の番組の内容と強階層伝送の番組の内容とが同一でないこと、および前記第２の系統で選局されるチャンネルの弱階層伝送の番組の内容と強階層伝送の番組の内容とが同一でないことのうち、少なくともいずれか一方が検出されると、前記同一でないことが検出された系統に対して、その系統で選局されるチャンネルの弱階層伝送の番組の映像信号および音声信号を前記弱階層映像／音声デコード部から出力し、その系統で選局されるチャンネルの弱階層伝送の番組と同一の内容の強階層伝送の番組を放送している、さらに他のチャンネルを選局して、前記さらに他のチャンネルの強階層伝送の番組の映像信号および音声信号を前記強階層映像／音声デコード部から出力するように選局指示を行うことを特徴とするデジタル放送受信装置。
【請求項２】
前記選局制御部は、
前記番組比較部によって前記同一でないことが検出され、かつ前記同一でないことが検出された系統で選局されるチャンネルの弱階層伝送の番組と同一の内容の強階層伝送の番組がないと判断された場合に、前記第１の系統が弱階層伝送の番組を受信不可能であり、かつ前記第１の系統による強階層伝送の番組の受信、前記第２の系統による弱階層伝送の番組の受信および前記第２の系統による強階層伝送の番組の受信のうち、少なくともいずれか１つが可能であると判断すると、受信可能な番組のうち、利用者によって選局されたチャンネルの弱階層伝送の番組と異なる内容の番組の映像信号および音声信号を選択しないように前記映像／音声デコード部選択部を制御することを特徴とする請求項１に記載のデジタル放送受信装置。
【請求項３】
放送局から送信されるデジタル放送信号を受信して、利用者によって選局されたチャンネルを選局し、選局したチャンネルの相対的に弱い弱階層伝送の番組の映像信号および音声信号、ならびに相対的に強い強階層伝送の番組の映像信号および音声信号を出力する第１の受信ステップと、
放送局から送信されるデジタル放送信号を受信して、利用者によって選局されたチャンネルの弱階層伝送の番組および強階層伝送の番組の少なくともいずれか一方と同一の内容の弱階層伝送または強階層伝送の番組を放送している他のチャンネルを選局し、選局したチャンネルの相対的に弱い弱階層伝送の番組の映像信号および音声信号、ならびに相対的に強い強階層伝送の番組の映像信号および音声信号を出力する第２の受信ステップと、
各受信ステップで、選局したチャンネルの弱階層伝送または強階層伝送の番組を受信不可能であることを検出する受信不可検出ステップと、
受信不可検出ステップでの検出結果に基づいて、第１の受信ステップで受信された弱階層伝送および強階層伝送の番組、ならびに第２の受信ステップで受信された弱階層伝送および強階層伝送の番組のうち、いずれか１つの番組の映像信号および音声信号を選択して出力する映像／音声選択ステップと、
映像／音声選択ステップで出力された映像信号に基づいて映像を表示する映像表示ステップと、
映像／音声選択ステップで出力された音声信号に基づいて音声を出力する音声出力ステップと、
前記第１の受信ステップで受信したデジタル放送信号に含まれる番組情報を用いて、前記第１の受信ステップで選局したチャンネルの弱階層伝送の番組の内容と強階層伝送の番組の内容とが同一であるか否かを検出し、前記第２の受信ステップで受信したデジタル放送信号に含まれる番組情報を用いて、前記第２の受信ステップで選局したチャンネルの弱階層伝送の番組の内容と強階層伝送の番組の内容とが同一であるか否かを検出する番組比較ステップとを備え、
前記第１の受信ステップでは、
前記番組比較ステップで、前記第１の受信ステップで選局したチャンネルの弱階層伝送の番組の内容と強階層伝送の番組の内容とが同一でないことが検出されると、その選局したチャンネルの弱階層伝送の番組の映像信号および音声信号を出力するとともに、その選局したチャンネルの弱階層伝送の番組と同一の内容の強階層伝送の番組を放送している、さらに他のチャンネルを選局して、前記さらに他のチャンネルの強階層伝送の番組の映像信号および音声信号を出力し、
前記第２の受信ステップでは、
前記番組比較ステップで、前記第２の受信ステップで選局したチャンネルの弱階層伝送の番組の内容と強階層伝送の番組の内容とが同一でないことが検出されると、その選局したチャンネルの弱階層伝送の番組の映像信号および音声信号を出力するとともに、その選局したチャンネルの弱階層伝送の番組と同一の内容の強階層伝送の番組を放送している、さらに他のチャンネルを選局して、前記さらに他のチャンネルの強階層伝送の番組の映像信号および音声信号を出力し、
前記映像／音声選択ステップでは、
前記第１の受信ステップで弱階層伝送の番組が受信可能であると判断されると、前記第１の受信ステップで出力される弱階層伝送の映像信号および音声信号を選択して出力し、
前記第１の受信ステップで弱階層伝送の番組が受信不可能であり、かつ前記第１の受信ステップでの強階層伝送の番組の受信、前記第２の受信ステップでの弱階層伝送の番組の受信および前記第２の受信ステップでの強階層伝送の番組の受信のうち、少なくともいずれか１つが可能であると判断されると、受信可能な番組のうちのいずれか１つの映像信号および音声信号を選択して出力し、
前記第１および第２の受信ステップで同時にデジタル放送信号が受信不可能であると判断されると、出力する映像信号および音声信号を切換えないことを特徴とするデジタル放送受信方法。
【請求項４】
前記映像／音声選択ステップでは、
前記番組比較ステップで、前記第１および第２の受信ステップのうち、少なくともいずれか一方の受信ステップで選局したチャンネルの弱階層伝送の番組の内容と強階層伝送の番組の内容とが同一でないことが検出され、かつ前記同一でないことが検出された受信ステップで、選局したチャンネルの弱階層伝送の番組と同一の内容の強階層伝送の番組がないと判断された場合に、前記第１の受信ステップで弱階層伝送の番組が受信不可能であり、かつ前記第１の受信ステップでの強階層伝送の番組の受信、前記第２の受信ステップでの弱階層伝送の番組の受信および前記第２の受信ステップでの強階層伝送の番組の受信のうち、少なくともいずれか１つが可能であると判断されると、受信可能な番組のうち、利用者によって選局されたチャンネルの弱階層伝送の番組と異なる内容の番組の映像信号および音声信号を選択しないようにすることを特徴とする請求項３に記載のデジタル放送受信方法。
【発明の詳細な説明】
【技術分野】
【０００１】
本発明は、移動体に搭載され、デジタル放送を受信して復号するデジタル放送受信装置およびデジタル放送受信方法に関し、特に移動によりそれまで受信していたチャンネルで番組が受信不可能になった場合に、同一の内容の番組を放送している別のチャンネルへ切換えるデジタル放送受信装置およびデジタル放送受信方法に関する。
【背景技術】
【０００２】
従来技術のデジタル放送受信装置は、それまで受信していたチャンネルで番組が受信できなくなった場合、別のチャンネルで同一の内容の番組（以下、「同じ番組」という場合がある）が放送されているかどうかをサーチし、同じ番組が放送されているチャンネルが見つかった場合には、同じ番組を放送している別のチャンネルに切換えるように構成されている。しかし、サーチによって同じ番組が放送されているチャンネルを見つけるまでの間、視聴していた番組が途切れてしまうという問題がある。
【０００３】
前述の問題を解決するために、たとえば、デジタル放送を受信できる系統を二つ備え、一方の系統では利用者が視聴する番組のチャンネルを受信し、他方の系統では利用者が視聴している番組と同じ番組が放送されている別のチャンネルを受信し、利用者が視聴している番組のチャンネルが受信できなくなった場合に、他方の系統で受信していたチャンネルの番組を表示する技術が知られている（たとえば特許文献１，２参照）。
【０００４】
【特許文献１】特開２００１−０７７７１２号公報
【特許文献２】特開２００６−０６７４０２号公報
【発明の開示】
【発明が解決しようとする課題】
【０００５】
日本国内の地上波デジタル放送のＩＳＤＢ−Ｔ（Integrated Services Digital Broadcasting-Terrestrial）規格では、ノイズまたはマルチパスには弱いが、映像および音声が高品質である弱階層伝送の番組と、ノイズまたはマルチパスには強いが、映像および音声が低品質である強階層伝送の番組とが、同じ物理チャンネルで伝送されている。強階層伝送の番組は、弱階層伝送の番組と比較して、受信できる地域が広い。
【０００６】
たとえば、同じ番組が放送されている第１放送局および第２放送局の少なくともいずれか一方から伝送される番組を、６つの地点、換言すれば第１〜第６地点で受信することを想定する。第１〜第６地点は、一直線上にあり、各地点間は、所定の間隔があけられている。ここで第１地点は、第１放送局の弱階層伝送の番組および強階層伝送の番組が受信可能な地点であり、第２地点は、第１放送局の強階層伝送の番組が受信可能な地点であり、第３地点は、第１放送局の強階層伝送の番組および第２放送局の強階層伝送の番組が受信可能な地点である。第４地点は、第２放送局の強階層伝送の番組が受信可能な地点であり、第５および第６地点は、第２放送局の弱階層伝送の番組および強階層伝送の番組が受信可能な地点である。また、各放送局から同じ物理チャンネルで伝送される弱階層伝送の番組と強階層伝送の番組とは、同一の内容の番組である。
【０００７】
移動体が、第１地点から第６地点へ移動する場合を考える。特許文献１，２には、弱階層伝送の番組および強階層伝送の番組のいずれを受信するのかについては開示されていないが、たとえば特許文献１，２に開示される方法によって弱階層伝送の番組を受信する場合、第１地点から第２地点に移動した時点で第１放送局の弱階層伝送の番組が途切れてしまう。そして、第５地点に移動するまで第２放送局の弱階層伝送の番組を受信することができない。したがって移動体が、第２地点から第５地点へ移動するまでの間、弱階層伝送の番組を視聴することができないという問題がある。
【０００８】
また特許文献１，２に開示される方法によって強階層伝送の番組を受信する場合、第２地点から第５地点に移動するまでの間も、第１放送局または第２放送局の強階層伝送の番組を受信することができる。しかし、強階層伝送の番組しか受信することができないので、第１放送局の弱階層伝送の番組が受信可能な地域および第２放送局の弱階層伝送の番組が受信可能な地域の中でも、低品質な映像および音声によって構成される強階層伝送の番組しか視聴することができないという問題がある。
【０００９】
また前述の例では、同じ物理チャンネル内で伝送される強階層伝送の番組と弱階層伝送の番組とは同一の内容であることを想定しているが、強階層伝送と弱階層伝送とで、異なる内容の番組を放送することも許容されるようになっている。つまり、同じ物理チャンネル内で伝送される強階層伝送の番組の内容と弱階層伝送の番組の内容とは、異なる可能性がある。したがって、特許文献１，２に開示されるように、二つの系統を用いて、異なるチャンネルで同じ番組を受信していたとしても、チャンネル内の弱階層伝送の番組の内容と強階層伝送の番組の内容とが異なる場合には、一方の系統で、利用者が視聴している番組のチャンネルが受信できなくなったときに、その番組と同じ番組を他方の系統で受信して表示することができないという問題がある。
【００１０】
特許文献１，２には、弱階層伝送の番組と強階層伝送の番組との両方を受信することについては開示されていない。
【００１１】
本発明は、移動などによって受信状態が変化したときに、利用者が番組を視聴できない時間を短くするとともに、高品質な映像および音声から構成される弱階層伝送の番組を受信できる地域では、弱階層伝送の番組を視聴可能なデジタル放送受信装置およびデジタル放送受信方法を提供することを目的とする。
【課題を解決するための手段】
【００１２】
本発明のデジタル放送受信装置は、放送局から送信されるデジタル放送信号を受信してチャンネルを選局し、選局したチャンネルの相対的に弱い弱階層伝送の番組の映像信号および音声信号を弱階層映像／音声デコード部から出力し、相対的に強い強階層伝送の番組の映像信号および音声信号を強階層映像／音声デコード部から出力する第１および第２の系統と、第１の系統の弱階層映像／音声デコード部、第１の系統の強階層映像／音声デコード部、第２の系統の弱階層映像／音声デコード部および第２の系統の強階層映像／音声デコード部のうち、いずれか１つから出力される映像信号および音声信号を選択して出力する映像／音声デコード部選択部と、前記映像／音声デコード部選択部から出力される映像信号に基づいて映像を表示する映像表示部と、前記映像／音声デコード部選択部から出力される音声信号に基づいて音声を出力する音声出力部と、各系統が、選局したチャンネルの弱階層伝送または強階層伝送の番組を受信不可能であることを検出する受信不可検出部と、前記第１および第２の系統に対して選局指示を行うとともに、前記受信不可検出部の検出結果に基づいて、前記映像／音声デコード部選択部を制御する選局制御部と、前記第１の系統で受信されるデジタル放送信号に含まれる番組情報を用いて、前記第１の系統で選局されるチャンネルの弱階層伝送の番組の内容と強階層伝送の番組の内容とが同一であるか否かを検出し、前記第２の系統で受信されるデジタル放送信号に含まれる番組情報を用いて、前記第２の系統で選局されるチャンネルの弱階層伝送の番組の内容と強階層伝送の番組の内容とが同一であるか否かを検出する番組比較部とを備え、前記第１の系統は、利用者によって選局されたチャンネルを選局し、前記第２の系統は、利用者によって選局されたチャンネルの弱階層伝送の番組および強階層伝送の番組の少なくともいずれか一方と同一の内容の弱階層伝送または強階層伝送の番組を放送している他のチャンネルを選局し、前記選局制御部は、前記第１の系統が弱階層伝送の番組を受信可能であると判断すると、前記第１の系統の弱階層映像／音声デコード部から出力される映像信号および音声信号を選択して出力するように前記映像／音声デコード部選択部を制御し、前記第１の系統が弱階層伝送の番組を受信不可能であり、かつ前記第１の系統による強階層伝送の番組の受信、前記第２の系統による弱階層伝送の番組の受信および前記第２の系統による強階層伝送の番組の受信のうち、少なくともいずれか１つが可能であると判断すると、受信可能な番組のうちのいずれか１つの映像信号および音声信号を選択して出力するように前記映像／音声デコード部選択部を制御し、前記第１および第２の系統が同時にデジタル放送信号を受信不可能であると判断すると、出力する映像信号および音声信号を切換えないように前記映像／音声デコード部選択部を制御し、前記番組比較部によって、前記第１の系統で選局されるチャンネルの弱階層伝送の番組の内容と強階層伝送の番組の内容とが同一でないこと、および前記第２の系統で選局されるチャンネルの弱階層伝送の番組の内容と強階層伝送の番組の内容とが同一でないことのうち、少なくともいずれか一方が検出されると、前記同一でないことが検出された系統に対して、その系統で選局されるチャンネルの弱階層伝送の番組の映像信号および音声信号を前記弱階層映像／音声デコード部から出力し、その系統で選局されるチャンネルの弱階層伝送の番組と同一の内容の強階層伝送の番組を放送している、さらに他のチャンネルを選局して、前記さらに他のチャンネルの強階層伝送の番組の映像信号および音声信号を前記強階層映像／音声デコード部から出力するように選局指示を行うことを特徴とする。
【００１３】
本発明のデジタル放送受信方法は、放送局から送信されるデジタル放送信号を受信して、利用者によって選局されたチャンネルを選局し、選局したチャンネルの相対的に弱い弱階層伝送の番組の映像信号および音声信号、ならびに相対的に強い強階層伝送の番組の映像信号および音声信号を出力する第１の受信ステップと、放送局から送信されるデジタル放送信号を受信して、利用者によって選局されたチャンネルの弱階層伝送の番組および強階層伝送の番組の少なくともいずれか一方と同一の内容の弱階層伝送または強階層伝送の番組を放送している他のチャンネルを選局し、選局したチャンネルの相対的に弱い弱階層伝送の番組の映像信号および音声信号、ならびに相対的に強い強階層伝送の番組の映像信号および音声信号を出力する第２の受信ステップと、各受信ステップで、選局したチャンネルの弱階層伝送または強階層伝送の番組を受信不可能であることを検出する受信不可検出ステップと、受信不可検出ステップでの検出結果に基づいて、第１の受信ステップで受信された弱階層伝送および強階層伝送の番組、ならびに第２の受信ステップで受信された弱階層伝送および強階層伝送の番組のうち、いずれか１つの番組の映像信号および音声信号を選択して出力する映像／音声選択ステップと、映像／音声選択ステップで出力された映像信号に基づいて映像を表示する映像表示ステップと、映像／音声選択ステップで出力された音声信号に基づいて音声を出力する音声出力ステップと、前記第１の受信ステップで受信したデジタル放送信号に含まれる番組情報を用いて、前記第１の受信ステップで選局したチャンネルの弱階層伝送の番組の内容と強階層伝送の番組の内容とが同一であるか否かを検出し、前記第２の受信ステップで受信したデジタル放送信号に含まれる番組情報を用いて、前記第２の受信ステップで選局したチャンネルの弱階層伝送の番組の内容と強階層伝送の番組の内容とが同一であるか否かを検出する番組比較ステップとを備え、前記第１の受信ステップでは、前記番組比較ステップで、前記第１の受信ステップで選局したチャンネルの弱階層伝送の番組の内容と強階層伝送の番組の内容とが同一でないことが検出されると、その選局したチャンネルの弱階層伝送の番組の映像信号および音声信号を出力するとともに、その選局したチャンネルの弱階層伝送の番組と同一の内容の強階層伝送の番組を放送している、さらに他のチャンネルを選局して、前記さらに他のチャンネルの強階層伝送の番組の映像信号および音声信号を出力し、前記第２の受信ステップでは、前記番組比較ステップで、前記第２の受信ステップで選局したチャンネルの弱階層伝送の番組の内容と強階層伝送の番組の内容とが同一でないことが検出されると、その選局したチャンネルの弱階層伝送の番組の映像信号および音声信号を出力するとともに、その選局したチャンネルの弱階層伝送の番組と同一の内容の強階層伝送の番組を放送している、さらに他のチャンネルを選局して、前記さらに他のチャンネルの強階層伝送の番組の映像信号および音声信号を出力し、前記映像／音声選択ステップでは、前記第１の受信ステップで弱階層伝送の番組が受信可能であると判断されると、前記第１の受信ステップで出力される弱階層伝送の映像信号および音声信号を選択して出力し、前記第１の受信ステップで弱階層伝送の番組が受信不可能であり、かつ前記第１の受信ステップでの強階層伝送の番組の受信、前記第２の受信ステップでの弱階層伝送の番組の受信および前記第２の受信ステップでの強階層伝送の番組の受信のうち、少なくともいずれか１つが可能であると判断されると、受信可能な番組のうちのいずれか１つの映像信号および音声信号を選択して出力し、前記第１および第２の受信ステップで同時にデジタル放送信号が受信不可能であると判断されると、出力する映像信号および音声信号を切換えないことを特徴とする。
【発明の効果】
【００１４】
本発明のデジタル放送受信装置によれば、利用者によって選局されたチャンネルが第１の系統によって選局され、そのチャンネルの弱階層伝送の番組および強階層伝送の番組の少なくともいずれか一方と同一の内容の弱階層伝送または強階層伝送の番組を放送している他のチャンネルが第２の系統によって選局されるので、第１の系統および第２の系統によって同じ番組を受信することが可能である。これによって、第１の系統が選局したチャンネルの番組を受信できない場合でも、同じ番組の映像信号および音声信号を第２の系統によって出力することが可能である。第１の系統が弱階層伝送の番組を受信可能である場合、第１の系統の弱階層映像／音声デコード部から出力される映像信号および音声信号が映像／音声デコード部選択部によって選択されて出力され、出力された映像信号に基づいて映像表示部によって映像が表示され、出力された音声信号に基づいて音声出力部によって音声が出力される。弱階層伝送の番組は、強階層伝送の番組に比べて、映像信号および音声信号が高品質であるので、利用者は、高品質な映像および音声で番組を視聴することができる。
【００１５】
また第１の系統が弱階層伝送の番組を受信不可能である場合、第１の系統による強階層伝送の番組の受信、第２の系統による弱階層伝送の番組の受信および第２の系統による強階層伝送の番組の受信のうち、少なくともいずれか１つが可能であれば、その受信可能な番組のうちのいずれか１つの映像信号および音声信号が映像／音声デコード部選択部によって選択されて出力され、出力された映像信号に基づいて映像表示部によって映像が表示され、出力された音声信号に基づいて音声出力部によって音声が出力される。第１の系統と第２の系統とは同じ番組を受信することが可能であるので、第１の系統が弱階層伝送の番組を受信できない場合でも、同じ番組の映像信号および音声信号を、第１の系統の強階層映像／音声デコード部、第２の系統の弱階層映像／音声デコード部、または第２の系統の強階層映像／音声デコード部によって出力することができる。これによって、移動などによって受信状態が変化したときに、利用者が番組を視聴できない時間を短くすることができる。
【００１６】
したがって前記従来技術に比べて、利用者が番組を視聴できない時間を短くするとともに、弱階層伝送の番組を受信できる地域では、利用者に高品質の映像および音声を提供することができる。
また第１および第２の系統が同時にデジタル放送信号を受信不可能である場合、出力する映像信号および音声信号を切換えないように、映像／音声デコード部選択部が選局制御部によって制御される。これによって、不所望な順サーチを抑制することができるので、第１の系統および第２の系統がデジタル放送信号を再び受信できるようになったときに、デジタル放送信号が受信できなくなる前に選局していたチャンネルの番組の映像および音声を即座に出力することができる。したがって、利用者が番組を視聴できない時間が、順サーチによって長くなることを防ぎ、利用者が番組を視聴できなくなる時間を短くすることができる。
【００１７】
本発明のデジタル放送受信方法によれば、第１の受信ステップでは、放送局から送信されるデジタル放送信号を受信して、利用者によって選局されたチャンネルを選局し、選局したチャンネルの相対的に弱い弱階層伝送の番組の映像信号および音声信号、ならびに相対的に強い強階層伝送の番組の映像信号および音声信号を出力する。第２の受信ステップでは、放送局から送信されるデジタル放送信号を受信して、利用者によって選局されたチャンネルの弱階層伝送の番組および強階層伝送の番組の少なくともいずれか一方と同一の内容の弱階層伝送または強階層伝送の番組を放送している他のチャンネルを選局し、選局したチャンネルの相対的に弱い弱階層伝送の番組の映像信号および音声信号、ならびに相対的に強い強階層伝送の番組の映像信号および音声信号を出力する。
【００１８】
第１の受信ステップで弱階層伝送の番組が受信可能であると判断されると、前記第１の受信ステップで出力される弱階層伝送の映像信号および音声信号を選択して出力する。この出力した映像信号に基づいて、映像表示ステップで映像を表示し、出力した音声信号に基づいて、音声出力ステップで音声を出力する。弱階層伝送の番組は、強階層伝送の番組に比べて、映像信号および音声信号が高品質であるので、利用者は、高品質な映像および音声で番組を視聴することができる。
【００１９】
また第１の受信ステップで弱階層伝送の番組が受信不可能であり、かつ前記第１の受信ステップでの強階層伝送の番組の受信、前記第２の受信ステップでの弱階層伝送の番組の受信および前記第２の受信ステップでの強階層伝送の番組の受信のうち、少なくともいずれか１つが可能であると判断されると、受信可能な番組のうちのいずれか１つの映像信号および音声信号を選択して出力する。この出力した映像信号に基づいて、映像表示ステップで映像を表示し、出力した音声信号に基づいて、音声出力ステップで音声を出力する。
【００２０】
第１の受信ステップと第２の受信ステップとは同じ番組を受信することが可能であるので、第１の受信ステップで弱階層伝送の番組を受信できない場合でも、同じ番組の映像信号および音声信号を、第１の受信ステップまたは第２の受信ステップで出力することができる。これによって、移動などによって受信状態が変化したときに、利用者が番組を視聴できない時間を短くすることができる。
【００２１】
したがって前記従来技術に比べて、利用者が番組を視聴できない時間を短くするとともに、弱階層伝送の番組を受信できる地域では、利用者に高品質の映像および音声を提供することができる。
また第１および第２の受信ステップで同時にデジタル放送信号が受信不可能であると判断されると、出力する映像信号および音声信号を切換えない。これによって、不所望な順サーチを抑制することができるので、第１および第２の受信ステップでデジタル放送信号を再び受信できるようになったときに、デジタル放送信号が受信できなくなる前に選局していたチャンネルの番組の映像および音声を即座に出力することができる。したがって、利用者が番組を視聴できない時間が、順サーチによって長くなることを防ぎ、利用者が番組を視聴できなくなる時間を短くすることができる。
【発明を実施するための最良の形態】
【００２２】
＜第１の実施の形態＞
図１は、本発明の第１の実施の形態におけるデジタル放送受信装置１の構成を示すブロック図である。デジタル放送受信装置１は、デジタル放送信号を受信する２つの受信系統、すなわち第１の系統２００および第２の系統２１０を備える。デジタル放送受信装置１は、第１のアンテナ２と、第２のアンテナ３と、第１のチューナ部２０１と、第１の復調部２０２と、第１のデマルチプレクス部２０３と、第１の弱階層映像／音声デコード部２０４と、第１の強階層映像／音声デコード部２０５と、第２のチューナ部２１１と、第２の復調部２１２と、第２のデマルチプレクス部２１３と、第２の弱階層映像／音声デコード部２１４と、第２の強階層映像／音声デコード部２１５と、映像／音声デコード部選択部２２１と、映像表示部２２２と、音声出力部２２３と、受信不可検出部２２４と、選局制御部２２５と、チャンネル記憶部２２６とを備えて構成される。
【００２３】
第１の系統２００は、第１のチューナ部２０１、第１の復調部２０２、第１のデマルチプレクス部２０３、第１の弱階層映像／音声デコード部２０４および第１の強階層映像／音声デコード部２０５を備えて構成される。また第２の系統２１０は、第２のチューナ部２１１、第２の復調部２１２、第２のデマルチプレクス部２１３、第２の弱階層映像／音声デコード部２１４および第２の強階層映像／音声デコード部２１５を備えて構成される。
【００２４】
第１の系統２００には、放送局から送信されるデジタル放送信号を受信可能な第１のアンテナ２が接続され、第２の系統２１０には、前記デジタル放送信号を受信可能な第２のアンテナ３が接続されている。第１のアンテナ２によって受信したデジタル放送信号は、第１の系統２００の第１のチューナ部２０１に与えられる。第２のアンテナ３によって受信したデジタル放送信号は、第２の系統２１０の第２のチューナ部２１１に与えられる。
【００２５】
第１のチューナ部２０１は、第１のアンテナ２から与えられるデジタル放送信号を受信し、その受信したデジタル放送信号から特定の周波数の信号を抽出する。第１のチューナ部２０１が、前記受信したデジタル放送信号のうちのいずれの周波数の信号を抽出するかは、後述する選局制御部２２５によって制御される。換言すれば、第１のチューナ部２０１は、選局制御部２２５から与えられる所定の制御信号に基づいて、前記特定の周波数の信号を抽出する。前記特定の周波数は、デジタル放送信号に含まれる複数のチャンネルのうち、いずれかのチャンネルの周波数であり、前記特定の周波数の信号を抽出することは、チャンネルを選局することを意味する。また第１のチューナ部２０１は、受信した信号の受信レベル情報を出力する。
【００２６】
第１の復調部２０２は、第１のチューナ部２０１から与えられる信号の復調および誤り訂正を行い、トランスポートストリーム（Transport Stream；略称：ＴＳ）を出力する。また第１の復調部２０２は、受信Ｃ／Ｎ比（Carrier to Noise ratio：搬送波電力対雑音電力比）情報、ＰＬＬ（Phase Locked Loop）ロック情報、フレームロック情報、および誤り率情報の各種情報のうちの少なくともいずれか１つを出力する。
【００２７】
第１のデマルチプレクス部２０３は、受信したデジタル放送信号、具体的には第１の復調部２０２から与えられるＴＳから、番組に関する情報である番組情報として、たとえば番組特定情報（Program Specific Information；略称：ＰＳＩ）および番組配列情報（サービス情報：Service Information；略称：ＳＩ）を抽出し、抽出したＰＳＩおよびＳＩをメモリに保存させる。ＰＳＩおよびＳＩを保存させるメモリは、たとえば、後述するチャンネル記憶部２２６でもよいし、他の記憶部でもよい。
【００２８】
第１のデマルチプレクス部２０３は、抽出したＰＳＩおよび／またはＳＩ（以下「ＰＳＩ／ＳＩ」という場合がある）から、ＴＳ中の映像ＴＳパケットおよび音声ＴＳパケットのＴＳパケット識別子（Packet Identifier；略称：ＰＩＤ）の値を検出し、ＴＳを各ＰＩＤでフィルタリングして映像ＴＳパケットおよび音声ＴＳパケットを分離させて抽出する。映像ＴＳパケットおよび音声ＴＳパケットには、弱階層伝送の映像ＴＳパケットおよび音声ＴＳパケットと、強階層伝送の映像ＴＳパケットおよび音声ＴＳパケットとが存在する。
【００２９】
ここで、強階層とは、階層伝送方式において、伝送帯域を分割して構成される複数階層のうち、Ｃ／Ｎ比に対する耐性が相対的に強い階層をいう。強階層伝送では、移動体での受信に強い変調方式が行われており、低い受信レベルまで安定した受信が可能であるが、データ量が少ないために低品位なサービスとなる。換言すれば強階層伝送の信号は、画質は劣るが、Ｃ／Ｎ比に対する耐性が強く、低Ｃ／Ｎ比でも受信可能である。弱階層とは、階層伝送方式において、伝送帯域を分割して構成される複数階層のうち、Ｃ／Ｎ比に対する耐性が相対的に弱い階層をいう。弱階層伝送では、多くのデータ量を伝送するために伝送効率の高い変調方式が行われており、高品位なサービスが可能であるが、移動体での受信および低い受信レベルでの受信に弱い特性を持つ。換言すれば弱階層伝送の信号は、高画質の映像を含むが、Ｃ／Ｎ比に対する耐性が弱い。
【００３０】
第１のデマルチプレクス部２０３は、弱階層伝送の映像ＴＳパケットおよび音声ＴＳパケットを第１の弱階層映像／音声デコード部２０４に与え、強階層伝送の映像ＴＳパケットおよび音声ＴＳパケットを第１の強階層映像／音声デコード部２０５に与える。
【００３１】
第１のデマルチプレクス部２０３は、番組アソシエーション（統合）テーブル（Program Association Table；略称：ＰＡＴ）断絶情報（途絶情報）、番組対応テーブル（Program Map Table；略称：ＰＭＴ）断絶情報（途絶情報）、ＴＳ同期はずれ（同期ロスト）情報、およびＴＳパケットの損失情報（パケットロスト情報）の各種情報のうちの少なくともいずれか１つを出力する。
【００３２】
ＰＡＴ断絶情報は、ＰＡＴが所定の時間間隔で到来しなかった場合に発せられる。ＰＭＴ断絶情報は、ＰＭＴが所定の時間間隔で到来しなかった場合に発せられる。ＴＳ同期はずれ情報（通知）は、ＴＳにおいて１８８バイト毎に同期バイトが検出されない場合に発せられる。ＴＳパケットの損失情報（通知）は、ＴＳのヘッダ中に存在する連続性カウンタ値の不連続を検出したときに発せられる。
【００３３】
なお、ＴＳには複数の弱階層のサービス、および複数の強階層のサービスが含まれていることがある。第１のデマルチプレクス部２０３が、ＴＳに含まれるサービスのうちのいずれのサービスを選局するかは、後述する選局制御部２２５によって制御される。換言すれば、第１のデマルチプレクス部２０３は、選局制御部２２５から与えられる所定の制御信号に基づいて、ＴＳに含まれるサービスを選局する。
【００３４】
第１の弱階層映像／音声デコード部２０４は、第１のデマルチプレクス部２０３から与えられる弱階層伝送の映像ＴＳパケットおよび音声ＴＳパケットのデコードを行い、映像パケットの復号された映像信号および音声パケットの復号された音声信号を映像／音声デコード部選択部２２１に与える。また第１の弱階層映像／音声デコード部２０４は、弱階層伝送の映像ＴＳパケットのデコード、および弱階層伝送の音声ＴＳパケットのデコードのうち少なくともいずれか一方の処理が不可能な状態になったとき、デコードエラー検出情報およびデコードエラー率情報のうちの少なくともいずれか１つを出力する。
【００３５】
第１の強階層映像／音声デコード部２０５は、第１のデマルチプレクス部２０３から与えられる強階層伝送の映像ＴＳパケットおよび音声ＴＳパケットのデコードを行い、映像パケットの復号された映像信号および音声パケットの復号された音声信号を映像／音声デコード部選択部２２１に与える。また第１の強階層映像／音声デコード部２０５は、強階層伝送の映像ＴＳパケットのデコード、および強階層伝送の音声ＴＳパケットのデコードのうち少なくともいずれか一方の処理が不可能な状態になったとき、デコードエラー検出情報およびデコードエラー率情報のうちの少なくともいずれか１つを出力する。
【００３６】
第２の系統２１０を構成する第２のチューナ部２１１、第２の復調部２１２、第２のデマルチプレクス部２１３、第２の弱階層映像／音声デコード部２１４、および第２の強階層映像／音声デコード部２１５は、第１の系統２００を構成する第１のチューナ部２０１、第１の復調部２０２、第１のデマルチプレクス部２０３、第１の弱階層映像／音声デコード部２０４、および第１の強階層映像／音声デコード部２０５とそれぞれ同様の機能を備え、同様の動作をするので、第２のチューナ部２１１、第２の復調部２１２、第２のデマルチプレクス部２１３、第２の弱階層映像／音声デコード部２１４、および第２の強階層映像／音声デコード部２１５の説明は省略する。
【００３７】
映像／音声デコード部選択部２２１は、第１の弱階層映像／音声デコード部２０４から与えられる映像信号および音声信号と、第１の強階層映像／音声デコード部２０５から与えられる映像信号および音声信号と、第２の弱階層映像／音声デコード部２１４から与えられる映像信号および音声信号と、第２の強階層映像／音声デコード部２１５から与えられる映像信号および音声信号との中からいずれか１つを選択し、選択した映像信号を映像表示部２２２に与え、選択した音声信号を音声出力部２２３に与える。
【００３８】
映像／音声デコード部選択部２２１が、第１および第２の弱階層映像／音声デコード部２０４，２１４ならびに第１および第２の強階層映像／音声デコード部２０５，２１５から与えられる映像信号および音声信号のうちのいずれの映像信号および音声信号を選択するかは、選局制御部２２５によって制御される。換言すれば、映像／音声デコード部選択部２２１は、選局制御部２２５から与えられる所定の制御信号に基づいて、映像信号および音声信号を選択する。
【００３９】
映像表示部２２２は、映像／音声デコード部選択部２２１から与えられる映像信号に基づいて、表示画面に映像を表示する。音声出力部２２３は、映像／音声デコード部選択部２２１から与えられる音声信号に基づいて、スピーカから音声を出力する。
【００４０】
車両などの移動体に搭載または携帯されるデジタル放送受信装置では、デジタル放送受信装置の受信位置が移動することから、受信位置が視聴中の番組の放送局のサービス地域外になる場合、または地上の構造物による搬送波の遮断および減衰などの影響を受ける場合があり、そのような場合には視聴中の番組を放送している放送局からの放送信号を受信することが不可能となる。受信不可検出部２２４は、前述のように放送局からの放送信号を受信することが不可能である状態（以下「受信不可状態」という場合がある）を検出する。
【００４１】
受信不可検出部２２４は、第１のチューナ部２０１、第１の復調部２０２、第１のデマルチプレクス部２０３および第１の弱階層映像／音声デコード部２０４から出力される前記の各種情報のうちの少なくともいずれか１つに基づいて、第１の系統２００の弱階層の受信信号が「受信不可状態」であることを検出する。
【００４２】
受信不可検出部２２４は、たとえば、第１のチューナ部２０１から与えられる受信レベル情報に基づいて、受信レベル情報が表す受信レベルが所定値未満である場合に、弱階層の受信信号が受信不可であると判断する。
【００４３】
受信不可検出部２２４は、たとえば、第１の復調部２０２から与えられる受信Ｃ／Ｎ比情報に基づいて、受信Ｃ／Ｎ比情報が表すＣ／Ｎ比が所定値未満である場合に、弱階層の受信信号が受信不可であると判断する。また受信不可検出部２２４は、たとえば、第１の復調部２０２から与えられるＰＬＬロック情報に基づいて、ＰＬＬロックがはずれたと判断されるときに、弱階層の受信信号が受信不可であると判断する。また受信不可検出部２２４は、たとえば、第１の復調部２０２から与えられるフレームロック情報に基づいて、フレームロックがはずれたと判断されるときに、弱階層の受信信号が受信不可であると判断する。また受信不可検出部２２４は、たとえば、第１の復調部２０２から与えられる誤り率情報に基づいて、誤り率が所定値を超えると判断されるときに、弱階層の受信信号が受信不可であると判断する。
【００４４】
受信不可検出部２２４は、たとえば、第１のデマルチプレクス部２０３から与えられるＰＡＴ断絶情報に基づいて、ＰＡＴ断絶が検出されときに、弱階層の受信信号が受信不可であると判断する。また受信不可検出部２２４は、たとえば、第１のデマルチプレクス部２０３から与えられるＰＭＴ断絶情報に基づいて、ＰＭＴ断絶が検出されときに、弱階層の受信信号が受信不可であると判断する。また受信不可検出部２２４は、たとえば、第１のデマルチプレクス部２０３から与えられるＴＳ同期はずれ情報に基づいて、ＴＳ同期はずれが検出されたときに、弱階層の受信信号が受信不可であると判断する。また受信不可検出部２２４は、第１のデマルチプレクス部２０３から与えられるＴＳパケットの損失情報に基づいて、ＴＳパケットの損失が検出されたときに、弱階層の受信信号が受信不可であると判断する。
【００４５】
受信不可検出部２２４は、たとえば、第１の弱階層映像／音声デコード部２０４から与えられるデコードエラー検出情報に基づいて、デコードエラーが検出されたときに、弱階層の受信信号が受信不可であると判断する。また受信不可検出部２２４は、たとえば、第１の弱階層映像／音声デコード部２０４から与えられるデコードエラー率情報に基づいて、デコードエラー率が所定値を超えると判断されるときに、弱階層の受信信号が受信不可であると判断する。
【００４６】
受信不可検出部２２４は、第１のチューナ部２０１、第１の復調部２０２、第１のデマルチプレクス部２０３および第１の強階層映像／音声デコード部２０５から出力される前記の各種情報のうちの少なくともいずれか１つに基づいて、第１の系統２００の強階層の受信信号が「受信不可状態」であることを検出する。
【００４７】
受信不可検出部２２４は、第２のチューナ部２１１、第２の復調部２１２、第２のデマルチプレクス部２１３および第２の弱階層映像／音声デコード部２１４から出力される前記の各種情報のうちの少なくともいずれか１つに基づいて、第２の系統２１０の弱階層の受信信号が「受信不可状態」であることを検出する。
【００４８】
受信不可検出部２２４は、第２のチューナ部２１１、第２の復調部２１２、第２のデマルチプレクス部２１３および第２の強階層映像／音声デコード部２１５から出力される前記の各種情報のうちの少なくともいずれか１つに基づいて、第２の系統２１０の強階層の受信信号が「受信不可状態」であることを検出する。
【００４９】
さらに受信不可検出部２２４は、第１の系統２００の弱階層、第１の系統２００の強階層、第２の系統２１０の弱階層および第２の系統２１０の強階層の各受信信号が「受信不可状態」であると判断した場合、受信不可通知を選局制御部２２５に与える。
【００５０】
選局制御部２２５は、利用者からの選局要求、および受信不可検出部２２４からの受信不可通知に基づいて、第１のチューナ部２０１および第１のデマルチプレクス部２０３を制御して、第１の系統２００でいずれのチャンネルを選局するかを決める。また選局制御部２２５は、利用者からの選局要求、および受信不可検出部２２４からの受信不可通知に基づいて、第２のチューナ部２１１および第２のデマルチプレクス部２１３を制御して、第２の系統２１０でいずれのチャンネルを選局するかを決める。
【００５１】
チャンネル記憶部２２６は、放送局の全てのチャンネルを順次選局して、デジタル放送受信装置の受信位置で受信できるチャンネルを検出する、いわゆるチャンネルスキャンによって取得した受信可能な放送局のチャンネル情報を記憶する。またチャンネル記憶部２２６は、記憶した放送局が互いに系列局の関係であるかどうかという情報を記憶してもよい。ここで系列局とは、ＴＳ中の番組配列情報(ＳＩ)の放送局情報テーブル（Broadcaster Information Table；略称：ＢＩＴ）セクションにおける系列事業者識別（affiliation_id）のフィールド値が同一の放送局のことである。ＢＩＴは、ブロードキャスタの単位、およびブロードキャスタ単位毎のＳＩ伝送パラメータなどを指定する機能を有する。チャンネル記憶部２２６は、系列局の関係を示すための情報の代わりに、マルチ周波数ネットワーク（Multi Frequency Network；略称：ＭＦＮ）の物理チャンネルの情報を記憶してもよい。またチャンネル記憶部２２６は、系列局の情報およびＭＦＮ情報の両方を記憶してもよい。
【００５２】
図２は、本発明の第１の実施の形態におけるデジタル放送受信装置１の選局制御部２２５の動作の処理手順を示すフローチャートである。この図２および後述する図３を参照して、デジタル放送受信方法についても併せて説明する。図２に示すフローチャートの選局制御部２２５の処理は、デジタル放送受信装置１に電力が供給され、開始条件を満足した場合に、繰返し実行される。ここで、利用者は第１放送局Ａを選局し、その第１放送局Ａを第１の系統２００で受信しているものとする。また、第１の弱階層映像／音声デコード部２０４によって、第１放送局Ａの弱階層伝送の番組の映像ＴＳパケットおよび音声ＴＳパケットをデコードし、第１の強階層映像／音声デコード部２０５によって、第１放送局Ａの強階層伝送の番組の映像ＴＳパケットおよび音声ＴＳパケットをデコードし、映像／音声デコード部選択部２２１によって、第１の弱階層映像／音声デコード部２０４から与えられる映像信号および音声信号、または第１の強階層映像／音声デコード部２０５から与えられる映像信号および音声信号を選択しているものとする。この第１放送局Ａを第１の系統２００で受信するステップが、第１の受信ステップに相当する。このとき、選局制御部２２５は、第２の系統２１０を用いて図２に示すフローチャートに従って動作する。この図２に示すフローチャートに従った第２の系統２１０の動作が、第２の受信ステップに相当する。
【００５３】
図２に示すフローチャートでは、利用者からの選局要求により第１の系統２００で受信する放送局が変化したとき、または第２の系統２１０で受信していたチャンネルの受信状態が悪化したときに本処理を開始し、ステップａ１に移行する。
【００５４】
ステップａ１では、チャンネル記憶部２２６に、第１放送局Ａと同一系列の放送局、すなわち系列局が記憶されているか否かを判断する。ステップａ１において、系列局が記憶されていればステップａ２に移行し、系列局が記憶されていなければ全ての処理手順を終了する。
【００５５】
ステップａ２では、チャンネル記憶部２２６に記憶されている第１放送局Ａの系列局の中でチャンネル番号が最小値のチャンネルを第２の系統２１０によって選局させ、ステップａ３に移行する。ここで第２の系統２１０によって選局されるチャンネルは、利用者によって選局されたチャンネルである第１放送局Ａのチャンネルの弱階層伝送の番組および強階層伝送の番組の少なくともいずれか一方と同一の内容の弱階層伝送または強階層伝送の番組を放送している他のチャンネルに相当する。本実施の形態では、第１および第２の系統２００，２１０で選局されるチャンネルは、いずれも、弱階層伝送の番組の内容と強階層伝送の番組の内容とが同一である。したがって、第２の系統２１０で選局されるチャンネルの弱階層伝送の番組の内容は、そのチャンネルの強階層伝送の番組の内容、ならびに第１の系統２００で選局されるチャンネルの弱階層伝送の番組および強階層伝送の番組の内容と同一である。
【００５６】
ステップａ３では、第２の系統２１０から出力される受信状況を取得し、取得した受信状況をチャンネル記憶部２２６または他の記憶部に記憶させる。ここで、チャンネル記憶部２２６または他の記憶部に記憶させる受信状況には、第２のチューナ部２１１から出力される受信レベル情報と、第２の復調部２１２から出力される受信Ｃ／Ｎ比情報、ＰＬＬロック情報、フレームロック情報および誤り率情報と、第２のデマルチプレクス部２１３から出力されるＰＡＴ断絶情報、ＰＭＴ断絶情報、ＴＳ同期はずれ情報およびＴＳパケットの損失情報と、第２の弱階層映像／音声デコード部２１４から出力されるデコードエラー検出情報およびデコードエラー率情報と、第２の強階層映像／音声デコード部２１５から出力されるデコードエラー検出情報およびデコードエラー率情報とのうち、少なくともいずれか１つが含まれる。ステップａ３において、受信状況をチャンネル記憶部２２６または他の記憶部に記憶させると、ステップａ４に移行する。
【００５７】
ステップａ４では、第２の系統２１０によって選局しているチャンネルが、チャンネル記憶部２２６に記憶されている第１放送局Ａの系列局の中でチャンネル番号が最大値のチャンネルか否かを判断する。ステップａ４において、第２の系統２１０によって選局しているチャンネルが、系列局の中でチャンネル番号が最大値のチャンネルであればステップａ６に移行し、第２の系統２１０によって選局しているチャンネルが、系列局の中でチャンネル番号が最大値のチャンネルでなければステップａ５に移行する。
【００５８】
ステップａ５では、次の系列局を選局し、ステップａ３に戻る。ステップａ６では、チャンネル記憶部２２６または他の記憶部に記憶された受信状況に基づいて、第１放送局Ａの系列局の優先度を算出して、チャンネル記憶部２２６に記憶させる。優先度は、たとえば受信レベルが高いほど高く設定される。ステップａ６において、系列局の優先度を算出してチャンネル記憶部２２６に記憶させると、ステップａ７に移行する。
【００５９】
ステップａ７では、第１放送局Ａの系列局の中から優先度の最も高い放送局を選択し、選択した放送局を第２の系統２１０によって選局させ、ステップａ８に移行する。ステップａ８では、第２の系統２１０から出力される受信状況を取得し、第２の系統２１０の受信状態が良好か否かを判断する。ステップａ８において、受信状態が良好であると判断すれば全ての処理手順を終了し、受信状態が良好でないと判断すればステップａ２に戻る。
【００６０】
図２のフローチャートにおいて、第２の系統２１０によって選局する対象を、第１放送局ＡのＭＦＮのチャンネルとしてもよい。また、第２の系統２１０によって選局する対象を、第１放送局Ａの系列局とＭＦＮとの両方にしてもよい。系列局とＭＦＮとの両方を選局対象とする場合は、図２のステップａ６における優先度の算出に関して、系列局およびＭＦＮのいずれか一方の優先度を高く設定してもよいし、同等に扱ってもよい。
【００６１】
図３は、本発明の第１の実施の形態におけるデジタル放送受信装置１の選局制御部２２５の動作の処理手順を示すフローチャートである。図３に示すフローチャートの選局制御部２２５の処理は、デジタル放送受信装置１に電力が供給され、開始条件を満足した場合に、繰返し実行される。図３に示すフローチャートでは、第１の系統２００の受信状態が変化したとき、または第１の系統２００が受信不可の状態でかつ第２の系統２１０の受信状態が変化したときに本処理を開始し、ステップｂ１に移行する。
【００６２】
ステップｂ１では、第１の系統２００の受信状態、具体的には第１の系統２００で弱階層伝送の放送信号が受信可能であるか否か、すなわち弱階層伝送の番組を受信可能であるか否かを判断する。ステップｂ１において、第１の系統２００で弱階層伝送の番組が受信可能であればステップｂ２に移行し、第１の系統２００で弱階層伝送の番組が受信不可能であればステップｂ３に移行する。
【００６３】
ステップｂ２では、映像／音声デコード部選択部２２１を制御して、第１の系統２００によって受信した弱階層伝送の映像信号に基づく映像を映像表示部２２２によって出力させ、前記弱階層伝送の音声信号に基づく音声を音声出力部２２３によって出力させる。ステップｂ２の処理後は、全ての処理手順を終了する。
【００６４】
ステップｂ３では、第１の系統２００で弱階層伝送の放送信号が受信不可能でかつ強階層伝送の放送信号が受信可能であるか否か、すなわち第１の系統２００で弱階層伝送の番組が受信不可能でかつ強階層伝送の番組が受信可能であるか否かを判断する。ステップｂ３において、第１の系統２００で弱階層伝送の番組が受信不可能でかつ強階層伝送の番組が受信可能であればステップｂ４に移行し、第１の系統２００で弱階層伝送の番組および強階層伝送の番組が共に受信不可能であればステップｂ５に移行する。
【００６５】
ステップｂ４では、映像／音声デコード部選択部２２１を制御して、第１の系統２００によって受信した強階層伝送の映像信号に基づく映像を映像表示部２２２によって出力させ、前記強階層伝送の音声信号に基づく音声を音声出力部２２３によって出力させる。具体的には、選局制御部２２５は、映像信号および音声信号を出力する映像／音声デコード部を第１の弱階層映像／音声デコード部２０４から第１の強階層映像／音声デコード部２０５に切換えるように、つまり、出力する映像信号および音声信号を切換えるように、映像／音声デコード部選択部２２１を制御して、第１の強階層映像／音声デコード部２０５から出力される強階層伝送の映像信号および音声信号を映像／音声デコード部選択部２２１から出力させる。ステップｂ４の処理後は、全ての処理手順を終了する。
【００６６】
ステップｂ５では、第２の系統２１０の受信状態、具体的には第２の系統２１０で弱階層伝送の放送信号が受信可能であるか否か、すなわち弱階層伝送の番組が受信可能であるか否かを判断する。ステップｂ５において、第２の系統２１０で弱階層伝送の番組が受信可能であればステップｂ６に移行し、第２の系統２１０で弱階層伝送の番組が受信不可能であればステップｂ８に移行する。
【００６７】
ステップｂ６では、映像／音声デコード部選択部２２１を制御して、第２の系統２１０によって受信した弱階層伝送の映像信号に基づく映像を映像表示部２２２によって出力させ、前記弱階層伝送の音声信号に基づく音声を音声出力部２２３によって出力させる。具体的には、選局制御部２２５は、映像信号および音声信号を出力する映像／音声デコード部を第１の弱階層映像／音声デコード部２０４から第２の弱階層映像／音声デコード部２１４に切換えるように、映像／音声デコード部選択部２２１を制御して、第２の弱階層映像／音声デコード部２１４から出力される強階層伝送の映像信号および音声信号を映像／音声デコード部選択部２２１から出力させる。ステップｂ６の処理後は、ステップｂ７に移行する。
【００６８】
ステップｂ７では、第１の系統２００と第２の系統２１０との役割を入替える。つまり、ステップｂ７より以後は、利用者が視聴するための番組を第２の系統２１０によって受信し、第１の系統２００では、前述の図２のフローチャートに従った動作をさせる。ステップｂ７の処理後は、全ての処理手順を終了する。
【００６９】
ステップｂ８では、第２の系統２１０で弱階層伝送の放送信号が受信不可能でかつ強階層伝送の放送信号が受信可能であるか否か、すなわち第２の系統２１０で弱階層伝送の番組が受信不可能でかつ強階層伝送の番組が受信可能であるか否かを判断する。ステップｂ８において、第２の系統２１０で弱階層伝送の番組が受信不可能でかつ強階層伝送の番組が受信可能であればステップｂ９に移行し、第２の系統２１０で弱階層伝送の番組および強階層伝送の番組が共に受信不可能であればステップｂ１０に移行する。
【００７０】
ステップｂ９では、映像／音声デコード部選択部２２１を制御して、第２の系統２１０によって受信した強階層伝送の映像信号に基づく映像を映像表示部２２２によって出力させ、前記強階層伝送の音声信号に基づく音声を音声出力部２２３によって出力させる。具体的には、選局制御部２２５は、映像信号および音声信号を出力する映像／音声デコード部を第１の弱階層映像／音声デコード部２０４から第２の強階層映像／音声デコード部２１５に切換えるように、映像／音声デコード部選択部２２１を制御して、第２の強階層映像／音声デコード部２１５から出力される強階層伝送の映像信号および音声信号を映像／音声デコード部選択部２２１から出力させる。ステップｂ９の処理後は、ステップｂ７に移行する。
【００７１】
ステップｂ１０では、デジタル放送が運用されている最小の物理チャンネルから順に、第１放送局Ａと同一の内容の番組、より詳細には、第１放送局Ａに相当するチャンネルの弱階層伝送の番組と同一の内容の弱階層伝送の番組を放送している別のチャンネルがないかどうかをサーチ（以下「順サーチ」という場合がある）する。順サーチによって、同一の内容の番組を放送しているチャンネルが見つかった場合は、そのチャンネルを選局する。ステップｂ１０において、同一の内容の番組を放送しているチャンネルが見つからない場合は、見つかるまで順サーチを継続する。ステップｂ１０の処理後は、全ての処理手順を終了する。ステップｂ１０では、前述のように、同一の内容の番組を放送しているチャンネルが見つかるまで順サーチを継続させてもよいし、予め定める時間が経過するまで順サーチを継続し、予め定める時間が経過した後は全ての処理手順を終了するようにしてもよい。
【００７２】
図３のフローチャートにおいて、ステップｂ１、ステップｂ３、ステップｂ５およびステップｂ８は、受信不可検出ステップに相当し、またステップｂ２、ステップｂ４、ステップｂ６およびステップｂ９は、映像／音声選択ステップ、映像表示ステップおよび音声出力ステップに相当する。
【００７３】
図３のフローチャートでは、ステップｂ８において、第２の系統２１０で弱階層伝送の番組および強階層伝送の番組が共に受信不可能である場合にステップｂ１０に移行しているが、第２の系統２１０でいずれのチャンネルも選局していない場合、および第２の系統２１０で前述の図２に示すフローチャートに従った動作をしている場合も、ステップｂ１０に移行する。
【００７４】
図４は、第１放送局Ａおよび第２放送局Ｂから送信される放送信号の受信可能地域を示す図である。第１放送局Ａは、利用者によって選局され、第１の系統２００で選局されるチャンネルで放送を行う放送局である。第２放送局Ｂは、第２の系統２１０で選局されるチャンネルで放送を行う放送局である。第２放送局Ｂは、第１放送局Ａの系列局であり、同一の内容の番組（以下「同じ番組」ということがある）を放送している。本実施の形態では、図４に示す６つの地点、具体的には第１〜第６地点１０５〜１１０を移動体が移動するときに、同じ番組が放送されている第１放送局Ａおよび第２放送局Ｂの少なくともいずれか一方から伝送される放送信号を受信する場合を考える。第１〜第６地点１０５〜１１０は、一直線上にあり、各地点間は、所定の間隔があけられている。
【００７５】
第１地点１０５は、第１放送局Ａの弱階層伝送の放送信号、すなわち第１放送局Ａの弱階層伝送の番組を受信可能な地域（以下「第１弱階層受信地域」という場合がある）１０１および第１放送局Ａの強階層伝送の番組を受信可能な地域（以下「第１強階層受信地域」という場合がある）１０２に含まれる地点である。第２地点１０６は、第１強階層受信地域１０２に含まれる地点である。第３地点１０７は、第１強階層受信地域１０２、および第２放送局Ｂの強階層伝送の放送信号、すなわち第２放送局Ｂの強階層伝送の番組を受信可能な地域（以下「第２強階層受信地域」という場合がある）１０４に含まれる地点である。第４地点１０８は、第２強階層受信地域１０４に含まれる地点である。第５および第６地点１０９，１１０は、第２放送局Ｂの弱階層伝送の放送信号、すなわち第２放送局Ｂの弱階層伝送の番組を受信可能な地域（以下「第２弱階層受信地域」という場合がある）１０３および第２強階層受信地域１０４に含まれる地点である。
【００７６】
移動体が第１地点１０５を出発する時点で、デジタル放送受信装置１は、第１の系統２００によって第１放送局Ａの弱階層伝送の番組および強階層伝送の番組を受信し、映像／音声デコード部選択部２２１によって、第１の系統２００で受信した第１放送局Ａの弱階層伝送の映像信号および音声信号を選択する。次に移動体が第１地点１０５から第２地点１０６に移動すると、デジタル放送受信装置１は、映像／音声デコード部選択部２２１によって、第１放送局Ａの強階層伝送の映像信号および音声信号を選択する。
【００７７】
次に移動体が第２地点１０６から第３地点１０７に移動すると、デジタル放送受信装置１は、第２の系統２１０によって第２放送局Ｂの強階層伝送の番組を受信する。次に移動体が第３地点１０７から第４地点１０８に移動すると、デジタル放送受信装置１は、映像／音声デコード部選択部２２１によって第２放送局Ｂの強階層伝送の映像信号および音声信号を選択する。
【００７８】
そして、移動体が第４地点１０８から第５地点１０９に移動すると、デジタル放送受信装置１は、第２の系統２１０によって第２放送局Ｂの弱階層伝送の番組を受信し、映像／音声デコード部選択部２２１によって第２放送局Ｂの弱階層伝送の映像信号および音声信号を選択する。移動体が第５地点１０９から第６地点１１０に移動しても、デジタル放送受信装置１は、第５地点１０９と同様に、映像／音声デコード部選択部２２１によって第２放送局Ｂの弱階層伝送の映像信号および音声信号を選択する。
【００７９】
このように本実施の形態のデジタル放送受信装置１は、利用者によって選局されたチャンネルを第１の系統２００によって選局し、そのチャンネルと同じ番組を放送している他のチャンネルを第２の系統２１０によって選局するので、第１の系統２００および第２の系統２１０によって同じ番組を受信することが可能である。これによって、第１の系統２００が選局したチャンネルの番組を受信できない場合でも、同じ番組の映像信号および音声信号を第２の系統２１０によって出力することが可能である。したがって、第１の系統２００が選局したチャンネルの受信可能地域と、第２の系統２１０が選局したチャンネルの受信可能地域とが重複していれば、映像信号および音声信号を途切れさせることなく出力することができる。
【００８０】
たとえば本実施の形態では、第１および第２の系統２００，２１０によって、強階層伝送の番組を同時に２つ受信することができるので、図４のように第１強階層受信地域１０２と第２強階層受信地域１０４とが重なっていれば、映像信号および音声信号を途切れさせることなく出力することができる。
【００８１】
また本実施の形態では、第１の系統２００が弱階層伝送の番組を受信可能である場合、第１の系統２００の弱階層映像／音声デコード部２０４から出力される映像信号および音声信号が映像／音声デコード部選択部２２１によって選択されて出力され、出力された映像信号に基づいて映像表示部２２２によって映像が表示され、出力された音声信号に基づいて音声出力部２２３によって音声が出力される。弱階層伝送の番組は、強階層伝送の番組に比べて、映像信号および音声信号が高品質であるので、利用者は、高品質な映像および音声で番組を視聴することができる。
【００８２】
以上のように本実施の形態のデジタル放送受信装置１は、弱階層伝送の番組を受信できる場合に、弱階層伝送の番組を受信するように切換えるので、高品質な映像および音声を利用者に提示することができる。
【００８３】
また第１の系統２００が弱階層伝送の番組を受信不可能である場合、第１の系統２００による弱階層伝送の番組の受信、第２の系統２１０による弱階層伝送の番組の受信および第２の系統２１０による強階層伝送の番組の受信のうち、少なくともいずれか１つが可能であれば、その受信可能な番組のうちのいずれか１つの映像信号および音声信号が映像／音声デコード部選択部２２１によって選択されて出力され、出力された映像信号に基づいて映像表示部２２２によって映像が表示され、出力された音声信号に基づいて音声出力部２２３によって音声が出力される。具体的には、映像／音声デコード部選択部２２１が、映像信号および音声信号を出力する映像／音声デコード部を、映像信号および音声信号を受信可能な映像／音声デコード部に切換えるように、換言すれば、出力する映像信号および音声信号を受信可能な番組の映像信号および音声信号に切換えるように、選局制御部２２５によって制御される。
【００８４】
第１の系統２００と第２の系統２１０とは同じ番組を受信することが可能であるので、第１の系統２００が弱階層伝送の番組を受信できない場合でも、同じ番組の映像信号および音声信号を、第１の系統２００の強階層映像／音声デコード部２０５、第２の系統２１０の弱階層映像／音声デコード部２１４、または第２の系統２１０の強階層映像／音声デコード部２１５によって出力することができる。これによって、移動などによって受信状態が変化したときに、利用者が番組を視聴できない時間を短くすることができる。
【００８５】
したがって前記従来技術に比べて、利用者が番組を視聴できない時間を短くするとともに、弱階層伝送の番組を受信できる地域では、利用者に高品質の映像および音声を提供することができる。
【００８６】
＜第２の実施の形態＞
次に本発明の第２の実施の形態のデジタル放送受信装置について説明する。本実施の形態のデジタル放送受信装置は、前述の第１の実施の形態のデジタル放送受信装置１と構成が同一であるので、対応する箇所に同一の参照符を付して、第１の実施の形態と共通する説明を省略する。本実施の形態においても、第１の系統２００で選局されるチャンネルの弱階層伝送の番組の内容と強階層伝送の番組の内容とは同一であり、第２の系統２１０で選局されるチャンネルの弱階層伝送の番組の内容と強階層伝送の番組の内容とは同一である。
【００８７】
図５は、第１放送局Ａおよび第２放送局Ｂから送信される放送信号の受信可能地域を示す図である。本実施の形態では、図５に示す３つの地点、具体的には第１〜第３地点１１５〜１１７を移動体が移動するときに、同じ番組が放送されている第１放送局Ａおよび第２放送局Ｂの少なくともいずれか一方から伝送される放送信号を受信する場合を考える。第１〜第３地点１１５〜１１７は、一直線上にあり、各地点間は、所定の間隔があけられている。
【００８８】
第１地点１１５は、第１放送局Ａの弱階層伝送の放送信号、すなわち第１放送局Ａの弱階層伝送の番組を受信可能な地域（以下「第１弱階層受信地域」という場合がある）１１１、および第１放送局Ａの強階層伝送の放送信号、すなわち第１放送局Ａの強階層伝送の番組を受信可能な地域（以下「第１強階層受信地域」という場合がある）１１２に含まれる地点である。第２地点１１６は、第１強階層受信地域１１２、第２放送局Ｂの弱階層伝送の放送信号、すなわち第２放送局Ｂの弱階層伝送の番組を受信可能な地域（以下「第２弱階層受信地域」という場合がある）１１３、および第２放送局Ｂの強階層伝送の放送信号、すなわち第２放送局Ｂの強階層伝送の番組を受信可能な地域（以下「第２強階層受信地域」という場合がある）１１４に含まれる地点である。第３地点１１７は、第２弱階層受信地域１１３および第２強階層受信地域１１４に含まれる地点である。
【００８９】
前述の第１の実施の形態では、移動体が第１地点１１５から第２地点１１６に移動した時点において、デジタル放送受信装置１が第１放送局Ａの強階層伝送の番組を受信できるので、第２放送局Ｂの弱階層伝送の番組を受信して、強階層伝送の番組から弱階層伝送の番組に切換えるように構成されていない。そのため、弱階層伝送の番組が受信可能な地域でも、強階層伝送の番組を受信し、低品質の映像および音声から構成される強階層伝送の番組を利用者に提示するおそれがある。
【００９０】
図６は、本発明の第２の実施の形態におけるデジタル放送受信装置の選局制御部２２５の動作の処理手順を示すフローチャートである。図６に示すフローチャートの選局制御部２２５の処理は、デジタル放送受信装置に電力が供給され、開始条件を満足した場合に、繰返し実行される。図６に示すフローチャートでは、第１の系統２００または第２の系統２１０の受信状態が変化したときに本処理を開始し、ステップｃ１に移行する。図６の選局制御部２２５の動作は、前述の図３の選局制御部２２５の動作と類似しているので、制御動作が異なる部分についてのみ詳しく説明し、図３の選局制御部２２５の動作と同様の部分については、重複する説明を省略する。
【００９１】
ステップｃ１およびステップｃ２の処理は、前述の図３のステップｂ１およびステップｂ２の処理と同一であるので、ステップｃ１，ｃ２の各処理の説明を省略する。ステップｃ２の処理後は、全ての処理手順を終了する。ステップｃ１において、第１の系統２００で弱階層伝送の番組が受信不可能であればステップｃ３に移行する。
【００９２】
ステップｃ３では、第１の系統２００で弱階層伝送の放送信号が受信不可能でかつ強階層伝送の放送信号が受信可能であるか否か、すなわち第１の系統２００で弱階層伝送の番組が受信不可能でかつ強階層伝送の番組が受信可能であるか否かを判断する。ステップｃ３において、第１の系統２００で弱階層伝送の番組が受信不可能でかつ強階層伝送の番組が受信可能であればステップｃ４に移行し、第１の系統２００で弱階層伝送の番組および強階層伝送の番組が共に受信不可能であればステップｃ８に移行する。
【００９３】
ステップｃ４では、第２の系統２１０の受信状態、具体的には第２の系統２１０で弱階層伝送の放送信号が受信可能であるか否か、すなわち第２の系統２１０で弱階層伝送の番組が受信可能であるか否かを判断する。ステップｃ４において、第２の系統２１０で弱階層伝送の番組が受信可能であればステップｃ５に移行し、第２の系統２１０で弱階層伝送の番組が受信不可能であればステップｃ７に移行する。
【００９４】
ステップｃ５，ｃ６，ｃ７の各処理は、前述の図３のステップｂ６，ｂ７，ｂ４の各処理と同一であるので、ステップｃ５，ｃ６，ｃ７の処理の説明を省略する。ステップｃ６およびステップｃ７の各処理の終了後は、全ての処理手順を終了する。
【００９５】
またステップｃ８〜ステップｃ１３の各処理は、前述の図３のステップｂ５〜ステップｂ１０の各処理と同一であるので、ステップｃ８〜ステップｃ１３の各処理の説明を省略する。ステップｃ１０、ステップｃ１２およびステップｃ１３の各処理の終了後は、全ての処理手順を終了する。
【００９６】
図６のフローチャートにおいて、ステップｃ１、ステップｃ３、ステップｃ４、ステップｃ８およびステップｃ１１は、受信不可検出ステップに相当し、またステップｃ２、ステップｃ５、ステップｃ７、ステップｃ９およびステップｃ１２は、映像／音声選択ステップ、映像表示ステップおよび音声出力ステップに相当する。
【００９７】
以上のように本実施の形態のデジタル放送受信装置では、選局制御部２２５は、第１の系統２００が弱階層伝送の番組を受信不可能であり、かつ第２の系統２１０が弱階層伝送の番組を受信可能であると判断すると、第２の系統２１０の弱階層映像／音声デコード部２１４から出力される映像信号および音声信号を選択して出力するように映像／音声デコード部選択部２２１を制御する。換言すれば、選局制御部２２５は、第１の系統２００で弱階層伝送の番組を受信できない場合、第１の系統２００で強階層伝送の番組を受信可能であっても、第２の系統２１０で弱階層伝送の番組を受信可能であれば、映像／音声デコード部選択部２２１を制御して、映像信号および音声信号を出力する映像／音声デコード部を、第１の弱階層映像／音声デコード部２０４から第２の弱階層映像／音声デコード部２１４に切換えて、第２の系統２１０の弱階層映像／音声デコード部２１４から第２の系統２１０で受信された弱階層伝送の番組の映像信号および音声信号を出力させる。
【００９８】
したがって移動体が図５に示す第１地点１１５から第３地点１１７へ移動する場合には、第１地点１１５から第２地点１１６に移動した時点で、映像／音声デコード部選択部２２１によって第２放送局Ｂの弱階層伝送の映像信号および音声信号を選択する。このように、本実施の形態のデジタル放送受信装置では、第１の系統２００で第１放送局Ａの強階層伝送の番組を受信可能な場合でも、第２の系統２１０で第２放送局Ｂの弱階層伝送の番組が受信可能であれば、第２放送局Ｂの弱階層伝送の番組を受信して、強階層伝送の番組から弱階層伝送の番組に切換える。
【００９９】
したがって本実施の形態では、前述の第１の実施の形態のデジタル放送受信装置１に比べて、高品質な映像および音声を出力する可能性が高くなる。換言すれば、高品質な映像および音声から構成される弱階層の番組を利用者が視聴できる可能性を高めることができる。
【０１００】
＜第３の実施の形態＞
次に本発明の第３の実施の形態のデジタル放送受信装置について説明する。本実施の形態のデジタル放送受信装置は、前述の第１の実施の形態のデジタル放送受信装置１と構成が同一であるので、対応する箇所に同一の参照符を付して、第１の実施の形態と共通する説明を省略する。本実施の形態においても、第１の系統２００で選局されるチャンネルの弱階層伝送の番組の内容と強階層伝送の番組の内容とは同一であり、第２の系統２１０で選局されるチャンネルの弱階層伝送の番組の内容と強階層伝送の番組の内容とは同一である。
【０１０１】
前述の第２の実施の形態において、デジタル放送受信装置を搭載した移動体がデジタル放送信号を全く受信できない地域、たとえばトンネルの中に位置する場合は、図６に示すフローチャートに従った動作をする。具体的には、第１の系統２００および第２の系統２１０によって弱階層伝送の番組および強階層伝送の番組を共に受信することが不可能となり、図６のステップｃ１３において順サーチを行う。しかし、移動体はデジタル放送を全く受信できない地域に位置するので、利用者はそれまで視聴していた第１放送局Ａの番組を視聴することができない。ステップｃ１３の順サーチ中に、デジタル放送信号を全く受信できないトンネルなどの地域から出たとしても、第１放送局Ａのチャンネルを選局しない限り、番組が途切れたままとなる。したがってステップｃ１３の順サーチを行うことによって、番組が途切れる時間が長くなるおそれがある。
【０１０２】
図７は、本発明の第３の実施の形態におけるデジタル放送受信装置の選局制御部２２５の動作の処理手順を示すフローチャートである。図７に示すフローチャートの選局制御部２２５の処理は、デジタル放送受信装置に電力が供給され、開始条件を満足した場合に、繰返し実行される。図７に示すフローチャートでは、第１の系統２００または第２の系統２１０の受信状態が変化したときに本処理を開始し、ステップｄ１に以降する。図７の選局制御部２２５の動作は、前述の図６の選局制御部２２５の動作と類似しているので、制御動作が異なる部分についてのみ詳しく説明し、図６の選局制御部２２５の動作と同様の部分については、重複する説明を省略する。
【０１０３】
ステップｄ１では、第１の系統２００および第２の系統２１０によるデジタル放送信号の受信が同時に不可能になったか否かを判断する。ステップｄ１において、第１の系統２００および第２の系統２１０によるデジタル放送信号の受信が同時に不可能になった場合は、デジタル放送が全く受信できない地域、たとえばトンネルに入ったと判断し、映像／音声デコード部選択部２２１の切換は行わずに、全ての処理手順を終了する。換言すれば、選局制御部２２５は、映像信号および音声信号を出力する映像／音声デコード部を切換えないように、つまり、出力する映像信号および音声信号を切換えないように、映像／音声デコード部選択部２２１を制御して、全ての処理手順を終了する。これによって、映像／音声デコード部選択部２２１は、第１の系統２００および第２の系統２１０によるデジタル放送信号の受信が同時に不可能になる直前に選択していた映像／音声デコード部を選択したままとなる。
【０１０４】
ステップｄ１において、第１の系統２００および第２の系統２１０によるデジタル放送信号の受信が同時に不可能になっていない場合、換言すれば第１の系統２００または第２の系統２１０によってデジタル放送信号を受信可能である場合は、ステップｄ２に移行する。
【０１０５】
ステップｄ２〜ステップｄ１４の各処理は、前述の図６のステップｃ１〜ステップｃ１３の各処理と同一であるので、ステップｄ２〜ステップｄ１４の各処理の説明を省略する。図７のフローチャートにおいて、ステップｄ３、ステップｄ７、ステップｄ８、ステップｄ１１、ステップｄ１３およびステップｄ１４の各処理の終了後は、全ての処理手順を終了する。
【０１０６】
図７のフローチャートにおいて、ステップｄ１、ステップｄ２、ステップｄ４、ステップｄ５、ステップｄ９およびステップｄ１２は、受信不可検出ステップに相当し、またステップｄ３、ステップｄ６、ステップｄ８、ステップｄ１０およびステップｄ１３は、映像／音声選択ステップ、映像表示ステップおよび音声出力ステップに相当する。
【０１０７】
以上のように本実施の形態のデジタル放送受信装置では、選局制御部２２５は、第１の系統２００および第２の系統２１０がデジタル放送信号を受信不可能であると判断すると、出力する映像信号および音声信号を切換えないように映像／音声デコード部選択部２２１を制御する。換言すれば、選局制御部２２５は、第１の系統２００および第２の系統２１０が同時に弱階層伝送および強階層伝送の番組を受信不可能になった場合、順サーチを行わずに、映像／音声デコード部選択部２２１によって、第１の系統２００の弱階層映像／音声デコード部２０４から出力される映像信号および音声信号を選択したままとする。これによって、不所望な順サーチを抑制することができるので、第１の系統２００および第２の系統２１０がデジタル放送信号を再び受信できるようになったときに、デジタル放送信号が受信できなくなる前に選局していたチャンネルの番組の映像および音声を即座に出力することができる。
【０１０８】
たとえば移動体がトンネルなどのデジタル放送を全く受信できない地域に入った場合、デジタル放送受信装置は、図７のステップｄ１４の順サーチの動作を行わない。これによって、移動体がトンネルなどのデジタル放送を全く受信できない地域から出たときに、トンネルに入る前に利用者が視聴していた番組を即座に利用者に提示することができる。
【０１０９】
したがって本実施の形態では、前述の第２の実施の形態のデジタル放送受信装置に比べて、利用者が番組を視聴できない時間が、順サーチによって長くなることを防ぎ、利用者が番組を視聴できなくなる時間を短くすることができる。
【０１１０】
＜第４の実施の形態＞
次に本発明の第４の実施の形態のデジタル放送受信装置について説明する。図８は、本発明の第４の実施の形態におけるデジタル放送受信装置１Ａの構成を示すブロック図である。本実施の形態のデジタル放送受信装置１Ａは、第１の実施の形態におけるデジタル放送受信装置１の構成に、番組比較部２２７をさらに備えて構成される。デジタル放送受信装置１Ａは、デジタル放送受信装置１と構成が類似しているので、対応する箇所に同一の参照符を付して、第１の実施の形態と共通する説明を省略する。
【０１１１】
番組比較部２２７は、デジタル放送信号を受信する２つの受信系統、すなわち第１および第２の系統２００，２１０の各デマルチプレクス部２０３，２１３によって取得される番組情報、たとえばＰＳＩおよびＳＩに基づいて、各系統２００，２１０毎に、各系統２００，２１０で選局されるチャンネルの弱階層伝送の番組の内容と強階層伝送の番組の内容とが同一であるか否かを検出する。番組比較部２２７は、各系統２００，２１０で選局されるチャンネルの弱階層伝送の番組の内容と強階層伝送の番組の内容とが同一であるか否かの検出結果を、選局制御部２２５に与える。
【０１１２】
第１のデマルチプレクス部２０３は、番組情報として、第１の実施の形態で記載しているＰＳＩおよびＳＩに加えて、他の情報も出力する。具体的には、第１のデマルチプレクス部２０３は、弱階層伝送の番組に関する番組情報として、弱階層伝送の番組のイベント情報テーブル（Event Information Table；略称：ＥＩＴ）に含まれる番組の名称および内容の説明を含む記述子、たとえば短形式イベント記述子、拡張形式イベント記述子などの各種情報のうちの少なくともいずれか１つを番組比較部２２７に出力するとともに、強階層伝送の番組に関する番組情報として、強階層伝送の番組のＥＩＴに含まれる番組の名称および内容の説明を含む記述子、たとえば短形式イベント記述子、拡張形式イベント記述子などの各種情報のうちの少なくともいずれか１つを番組比較部２２７に出力する。本実施の形態とは異なるが、第１のデマルチプレクス部２０３は、弱階層伝送の番組のＥＩＴおよび強階層伝送の番組のＥＩＴの全てを番組比較部２２７に出力してもよい。
【０１１３】
第２のデマルチプレクス部２１３は、第１のデマルチプレクス部２０３と同様に、番組情報として、第１の実施の形態で記載しているＰＳＩおよびＳＩに加えて、他の情報も出力する。具体的には、第２のデマルチプレクス部２１３は、弱階層伝送の番組に関する番組情報として、弱階層伝送の番組のＥＩＴに含まれる番組の名称および内容の説明を含む記述子、たとえば短形式イベント記述子、拡張形式イベント記述子などの各種情報のうちの少なくともいずれか１つを番組比較部２２７に出力するとともに、強階層伝送の番組に関する番組情報として、強階層伝送の番組のＥＩＴに含まれる番組の名称および内容の説明を含む記述子、たとえば短形式イベント記述子、拡張形式イベント記述子などの各種情報のうちの少なくともいずれか１つを番組比較部２２７に出力する。本実施の形態とは異なるが、第２のデマルチプレクス部２１３は、また、弱階層伝送の番組のＥＩＴおよび強階層伝送の番組のＥＩＴの全てを番組比較部２２７に出力してもよい。
【０１１４】
番組比較部２２７は、第１のデマルチプレクス部２０３から出力される番組情報、具体的には前述の各種情報のうちの少なくともいずれか１つに基づいて、弱階層伝送の番組の内容と強階層伝送の番組の内容とが同一であるか否かを検出する。
【０１１５】
番組比較部２２７は、たとえば、ＥＩＴの短形式イベント記述子に含まれる番組名の比較を行うことによって、弱階層伝送の番組の内容と強階層伝送の番組の内容とが同一であるか否かを判断する。
【０１１６】
また番組比較部２２７は、たとえばＥＩＴの短形式イベント記述子に含まれる番組記述の比較を行うことによって、弱階層伝送の番組の内容と強階層伝送の番組の内容とが同一であるか否かを判断する。
【０１１７】
また番組比較部２２７は、たとえばＥＩＴの拡張形式イベント記述子に含まれる項目名もしくは項目記述、またはその両方の比較を行うことによって、弱階層伝送の番組の内容と強階層伝送の番組の内容とが同一であるか否かを判断する。
【０１１８】
番組比較部２２７は、ＥＩＴに含まれる前述以外の番組情報の比較を行うことによって、弱階層伝送の番組の内容と強階層伝送の番組の内容とが同一であるか否かを判断してもよい。
【０１１９】
また番組比較部２２７は、ＥＩＴの複数のイベント記述子に含まれる複数の番組情報の比較を行うことによって、弱階層伝送の番組の内容と強階層伝送の番組の内容とが同一であるか否かを判断することも可能である。
【０１２０】
図９は、本発明の第４の実施の形態におけるデジタル放送受信装置１Ａの選局制御部２２５の動作の処理手順を示すフローチャートである。図９に示すフローチャートの選局制御部２２５の処理は、デジタル放送受信装置１Ａに電力が供給され、開始条件を満足した場合に、繰返し実行される。図９に示すフローチャートでは、第１の系統２００または第２の系統２１０の受信状態が変化したときに本処理を開始し、ステップｅ１に移行する。図９に示す本実施の形態における選局制御部２２５の動作は、前述の図３に示す第１の実施の形態における選局制御部２２５の動作と類似しているので、制御動作が異なる部分についてのみ詳しく説明し、図３に示す第１の実施の形態における選局制御部２２５の動作と同様の部分については、重複する説明を省略する。
【０１２１】
ステップｅ１，ｅ２については、図３のステップｂ１，ｂ２の動作と同一であるので、説明を省略する。ステップｅ３では、図３に示す第１の実施の形態におけるステップｂ３と同様に、第１の系統２００で弱階層伝送の放送信号が受信不可能でかつ強階層伝送の放送信号が受信可能であるか否か、すなわち第１の系統２００で弱階層伝送の番組が受信不可能でかつ強階層伝送の番組が受信可能であるか否かを判断する。本実施の形態では、ステップｅ３において、第１の系統２００で弱階層伝送の番組が受信不可能でかつ強階層伝送の番組が受信可能であればステップｅ４に移行し、第１の系統２００で弱階層伝送の番組および強階層伝送の番組が共に受信不可能であればステップｅ６に移行する。
【０１２２】
ステップｅ４では、第１の系統２００で、選局しているチャンネルの弱階層伝送の番組と同一の内容の強階層伝送の番組を受信可能であるか否かを判断する。具体的には、まず、第１の系統２００で受信しているチャンネルの弱階層伝送の番組の内容と強階層伝送の番組の内容とが同一であるか否かを判断する。第１の系統２００で受信しているチャンネルの弱階層伝送の番組の内容と強階層伝送の番組の内容とが同一であると判断すると、第１の系統２００で、選局しているチャンネルの弱階層伝送の番組と同一の内容の強階層伝送の番組を受信可能であると判断し、ステップｅ５に移行する。
【０１２３】
第１の系統２００で受信している弱階層伝送の番組の内容と強階層伝送の番組の内容とが同一でないと判断すると、第１の系統２００に対して、選局しているチャンネルの弱階層伝送の番組の映像信号および音声信号を第１の弱階層映像／音声デコード部２０４から出力するとともに、選局しているチャンネルの弱階層伝送の番組と同一の内容の強階層伝送の番組を放送している、さらに他のチャンネルを選局して、そのチャンネルの強階層伝送の番組の映像信号および音声信号を第１の強階層映像／音声デコード部２０５から出力するように選局指示を行う。この選局指示によって、第１の系統２００は、前述の順サーチと同様にして、選局しているチャンネルである利用者によって選局されたチャンネルの弱階層伝送の番組と同一の内容の強階層伝送の番組を放送している、さらに他のチャンネルがないかどうかをサーチする。このサーチによって、同一の内容の強階層伝送の番組を放送しているチャンネルが見つかった場合は、そのチャンネルを前記さらに他のチャンネルとして選局して、第１の系統２００において、選局しているチャンネルの弱階層伝送の番組と同一の内容の強階層伝送の番組を受信可能であると判断し、ステップｅ５に移行する。
【０１２４】
同一の内容の強階層伝送の番組を放送しているチャンネルが見つからない場合は、第１の系統２００で選局されているチャンネルの弱階層伝送の番組と同一の内容の強階層伝送の番組はない、すなわち第１の系統２００では、選局しているチャンネルの弱階層伝送の番組と同一の内容の強階層伝送の番組を受信できないと判断し、ステップｅ６に移行する。
【０１２５】
ステップｅ５，ｅ６，ｅ７，ｅ８については、図３のステップｂ４，ｂ５，ｂ６，ｂ７の動作と同一であるので、説明を省略する。ステップｅ９では、図３に示す第１の実施の形態におけるステップｂ８と同様に、第２の系統２１０で弱階層伝送の放送信号が受信不可能でかつ強階層伝送の放送信号が受信可能であるか否か、すなわち第２の系統２１０で弱階層伝送の番組が受信不可能でかつ強階層伝送の番組が受信可能であるか否かを判断する。本実施の形態では、ステップｅ９において、第２の系統２１０で弱階層伝送の番組が受信不可能でかつ強階層伝送の番組が受信可能であればステップｅ１０に移行し、第２の系統２１０で弱階層伝送の番組および強階層伝送の番組が共に受信不可能であればステップｅ１２に移行する。
【０１２６】
ステップｅ１０では、ステップｅ４と同様にして、第２の系統２１０で、選局しているチャンネルの弱階層伝送の番組と同一の内容の強階層伝送の番組を受信可能であるか否かを判断する。具体的には、まず、第２の系統２１０で受信しているチャンネルの弱階層伝送の番組の内容と強階層伝送の番組の内容とが同一であるか否かを判断する。第２の系統２１０で受信しているチャンネルの弱階層伝送の番組の内容と強階層伝送の番組の内容とが同一であると判断すると、第２の系統２１０で、選局しているチャンネルの弱階層伝送の番組と同一の内容の強階層伝送の番組を受信可能であると判断し、ステップｅ１１に移行する。
【０１２７】
第２の系統２１０で受信している弱階層伝送の番組の内容と強階層伝送の番組の内容とが同一でないと判断すると、第２の系統２１０に対して、選局しているチャンネルの弱階層伝送の番組の映像信号および音声信号を第２の弱階層映像／音声デコード部２１４から出力するとともに、選局しているチャンネルの弱階層伝送の番組と同一の内容の強階層伝送の番組を放送している、さらに他のチャンネルを選局して、そのチャンネルの強階層伝送の番組の映像信号および音声信号を第２の強階層映像／音声デコード部２１５から出力するように選局指示を行う。この選局指示によって、第２の系統２１０は、前述の順サーチと同様にして、選局しているチャンネル、すなわち利用者によって選局されたチャンネルと同じ番組を放送しているチャンネルの弱階層伝送の番組と同一の内容の強階層伝送の番組を放送している、さらに他のチャンネルがないかどうかをサーチする。このサーチによって、同一の内容の強階層伝送の番組を放送しているチャンネルが見つかった場合は、そのチャンネルを前記さらに他のチャンネルとして選局して、第２の系統２１０において、選局しているチャンネルの弱階層伝送の番組と同一の内容の強階層伝送の番組を受信可能であると判断し、ステップｅ１１に移行する。
【０１２８】
同一の内容の強階層伝送の番組を放送しているチャンネルが見つからない場合は、第２の系統２１０で選局されているチャンネルの弱階層伝送の番組と同一の内容の強階層伝送の番組はない、すなわち第２の系統２１０では、選局しているチャンネルの弱階層伝送の番組と同一の内容の強階層伝送の番組を受信できないと判断し、ステップｅ１２に移行する。ステップｅ１１，ｅ１２については、図３のステップｂ９，ｂ１０の動作と同一であるので、説明を省略する。
【０１２９】
以上のように本実施の形態のデジタル放送受信装置１Ａでは、選局制御部２２５は、第１の系統２００が弱階層伝送の番組を受信不可能でかつ第１の系統２００が強階層伝送の番組を受信可能である場合、ステップｅ４において、第１の系統２００で選局されるチャンネルの弱階層伝送の番組の内容と強階層伝送の番組の内容とが同一であるか否かを判断し、同一でない場合、第１の系統２００に対して、選局しているチャンネルの弱階層伝送の番組と同一の内容の強階層伝送の番組を放送している、さらに他のチャンネルを選局して、そのチャンネルの強階層伝送の番組の映像信号および音声信号を第１の強階層映像／音声デコード部２０５から出力するように選局指示を行う。
【０１３０】
この選局指示によって第１の系統２００では、選局しているチャンネルの弱階層伝送の番組と同一の内容の強階層伝送の番組を放送しているチャンネルがないかどうかサーチする。このサーチによって同一の内容の強階層伝送の番組を放送しているチャンネルが見つかった場合は、そのチャンネルが前記さらに他のチャンネルとして選局されて、そのチャンネルの強階層伝送の番組の映像信号および音声信号が第１の強階層映像／音声デコード部２０５から出力される。したがって、第１の系統２００が弱階層伝送の番組を受信不可能であり、かつ第１の系統２００が強階層伝送の番組を受信可能であるとき、映像／音声デコード部選択部２２１によって、第１の強階層映像／音声デコード部２０５から出力される映像信号および音声信号を選択して出力させることによって、利用者によって選局され、第１の系統２００で選局されるチャンネルの弱階層伝送の番組の内容と強階層伝送の番組の内容とが同一でない場合にも、利用者は、選局したチャンネルの番組と同一の内容の番組を視聴することができる。
【０１３１】
前述のサーチによって第１の系統２００で選局しているチャンネルの弱階層伝送の番組と同一の内容の強階層伝送の番組を放送しているチャンネルが見つからなかった場合は、第１の系統２００で受信された強階層伝送の番組の映像信号および音声信号を映像表示部２２２および音声出力部２２３に出力させずにステップｅ６に移行する。ステップｅ６では、第２の系統２１０が選局しているチャンネルの弱階層伝送の番組を受信可能であるか否かを判断し、受信可能である場合には、第２の系統２１０の弱階層映像／音声デコード部２１４から出力される映像信号および音声信号を選択して出力するように映像／音声デコード部選択部２２１を制御する。
【０１３２】
さらに、第２の系統２１０が弱階層伝送の番組を受信不可能でかつ第２の系統２１０が強階層伝送の番組を受信可能である場合、ステップｅ１０において、第２の系統２１０で選局されるチャンネルの弱階層伝送の番組の内容と強階層伝送の番組の内容とが同一であるか否かを判断し、同一でない場合、第２の系統２１０に対して、選局しているチャンネルの弱階層伝送の番組と同一の内容の強階層伝送の番組を放送している、さらに他のチャンネルを選局して、そのチャンネルの強階層伝送の番組の映像信号および音声信号を第２の強階層映像／音声デコード部２１５から出力するように選局指示を行う。
【０１３３】
この選局指示によって第２の系統２１０では、選局しているチャンネルの弱階層伝送の番組と同一の内容の強階層伝送の番組を放送しているチャンネルがないかどうかサーチする。このサーチによって同一の内容の強階層伝送の番組を放送しているチャンネルが見つかった場合は、そのチャンネルが前記さらに他のチャンネルとして選局されて、そのチャンネルの強階層伝送の番組の映像信号および音声信号が第２の強階層映像／音声デコード部２１５から出力される。
【０１３４】
したがって、第１および第２の系統２００，２１０が弱階層伝送の番組を受信不可能であり、第１の系統２００で、選局しているチャンネルの弱階層伝送の番組と同一の内容の強階層伝送の番組を受信不可能であり、かつ第２の系統２１０が強階層伝送の番組を受信可能であるとき、映像／音声デコード部選択部２２１によって、第２の強階層映像／音声デコード部２１５から出力される映像信号および音声信号を選択して出力させることによって、第２の系統２１０で選局されるチャンネルの弱階層伝送の番組の内容と強階層伝送の番組の内容とが同一でない場合にも、利用者は、選局したチャンネルの番組と同一の内容の番組を視聴することができる。
【０１３５】
本実施の形態において番組比較ステップは、図９に示すステップｅ４およびステップｅ１０に相当する。より詳細には、番組比較ステップは、ステップｅ４の第１の系統２００で受信しているチャンネルの弱階層伝送の番組の内容と強階層伝送の番組の内容とが同一であるか否かを判断するステップ、およびステップｅ１０の第２の系統２１０で受信しているチャンネルの弱階層伝送の番組の内容と強階層伝送の番組の内容とが同一であるか否かを判断するステップに相当する。第１の受信ステップは、利用者によって選局されたチャンネルである第１放送局Ａのチャンネルを第１の系統２００で受信するステップ、および図９に示すステップｅ４の第１の系統２００に対して選局指示を行うステップに相当する。第２の受信ステップは、前述の図２に示すフローチャートに従った第２の系統２１０の動作、および図９に示すステップｅ１０の第２の系統２１０に対して選局指示を行うステップに相当する。
【０１３６】
また本実施の形態では、ステップｅ４において、第１の系統２００で選局しているチャンネルの弱階層伝送の番組と同一の内容の強階層伝送の番組がないと判断されると、第１の系統２００で受信された強階層伝送の番組の映像信号および音声信号を映像表示部２２２および音声出力部２２３に出力させずにステップｅ６に移行し、第２の系統２１０での受信の可否の検討に移る。またステップｅ１３において、第２の系統２１０で選局しているチャンネルの弱階層伝送の番組と同一の内容の強階層伝送の番組がないと判断されると、第２の系統２１０で受信された強階層伝送の番組の映像信号および音声信号を映像表示部２２２および音声出力部２２３に出力させずにステップｅ１２に移行し、順サーチを実行する。
【０１３７】
つまり本実施の形態では、第１および第２の系統２００，２１０で、選局しているチャンネルの弱階層伝送の番組の内容と強階層伝送の番組の内容とが同一でなく、その選局しているチャンネルの弱階層伝送の番組と同一の内容の強階層伝送の番組がないと判断される場合、ステップｅ１において、第１の系統２００で弱階層伝送の番組が受信不可能であると判断され、ステップｅ３、ｅ６、ｅ９において、第１の系統２１０による強階層伝送の番組の受信、第２の系統２１０による弱階層伝送の番組の受信および第２の系統２１０による強階層伝送の番組の受信のうち、少なくともいずれか１つが可能であると判断されると、受信可能な番組のうち、利用者によって選局されたチャンネル、すなわち第１の系統２００で選局されるチャンネルの弱階層伝送の番組と同一の内容の番組の映像信号および音声信号が選択されて出力される。
【０１３８】
したがって、本実施の形態では、利用者によって選局されるチャンネルの弱階層伝送の番組の内容と強階層伝送の番組の内容とが同一でない場合でも、利用者が選局したチャンネルの番組と同一の内容の番組を視聴できない時間を可及的に短くすることができる。
【０１３９】
＜第５の実施の形態＞
次に本発明の第５の実施の形態のデジタル放送受信装置について説明する。本実施の形態のデジタル放送受信装置は、前述の第４の実施の形態のデジタル放送受信装置１Ａと構成が同一であるので、対応する箇所に同一の参照符を付して、第４の実施の形態と共通する説明を省略する。
【０１４０】
図１０は、本発明の第５の実施の形態におけるデジタル放送受信装置１Ａの選局制御部２２５の動作の処理手順を示すフローチャートである。図１０に示すフローチャートの選局制御部２２５の処理は、デジタル放送受信装置１Ａに電力が供給され、開始条件を満足した場合に、繰返し実行される。図１０に示すフローチャートでは、第１の系統２００または第２の系統２１０の受信状態が変化したときに本処理を開始し、ステップｆ１に移行する。図１０に示す本実施の形態における選局制御部２２５の動作は、前述の図６に示す第２の実施の形態における選局制御部２２５の動作および図９に示す第４の実施の形態における選局制御部２２５の動作と類似しているので、制御動作が異なる部分についてのみ詳しく説明し、図６に示す第２の実施の形態における選局制御部２２５の動作および図９に示す第４の実施の形態における選局制御部２２５の動作と同様の部分については、重複する説明を省略する。
【０１４１】
ステップｆ１，ｆ２，ｆ３については、図６のステップｃ１，ｃ２，ｃ３の動作と同一であるので、説明を省略する。ステップｆ４では、図６に示す第２の実施の形態におけるステップｃ４と同様に、第２の系統２１０で弱階層伝送の放送信号が受信可能であるか否か、すなわち第２の系統２１０で弱階層伝送の番組が受信可能であるか否かを判断する。本実施の形態では、ステップｆ４において、第２の系統２１０で弱階層伝送の番組が受信可能であれば、ステップｆ５に移行し、受信不可能であれば、ステップｆ７に移行する。ステップｆ５，ｆ６については、図６のステップｃ５，ｃ６の動作と同一であるので、説明を省略する。
【０１４２】
ステップｆ７では、図９に示す第４の実施の形態におけるステップｅ４と同様にして、第１の系統２００で、選局しているチャンネルの弱階層伝送の番組と同一の内容の強階層伝送の番組を受信可能であるか否かを判断する。第１の系統２００で受信しているチャンネルの弱階層伝送の番組の内容と強階層伝送の番組の内容とが同一であると判断するか、または選局しているチャンネルの弱階層伝送の番組と同一の内容の強階層伝送の番組を放送しているチャンネルがサーチによって見つかると、第１の系統２００で、選局しているチャンネルの弱階層伝送の番組と同一の内容の強階層伝送の番組を受信可能であると判断し、ステップｆ８に移行する。第１の系統２００で選局しているチャンネルの弱階層伝送の番組と同一の内容の強階層伝送の番組を放送しているチャンネルが見つからない場合は、第１の系統２００で選局されているチャンネルの弱階層伝送の番組と同一の内容の強階層伝送の番組はない、すなわち第１の系統２００では、選局しているチャンネルの弱階層伝送の番組と同一の内容の強階層伝送の番組を受信できないと判断し、ステップｆ１２に移行する。ステップｆ８，ｆ９，ｆ１０，ｆ１１については、図６のステップｃ７，ｃ８，ｃ９，ｃ１０の動作と同一であるので、説明を省略する。
【０１４３】
ステップｆ１２では、図６に示す第２の実施の形態におけるステップｃ１１と同様に、第２の系統２１０で弱階層伝送の放送信号が受信不可能でかつ強階層伝送の放送信号が受信可能であるか否か、すなわち第２の系統２１０で弱階層伝送の番組が受信不可能でかつ強階層伝送の番組が受信可能であるか否かを判断する。本実施の形態では、ステップｆ１２において、第２の系統２１０で弱階層伝送の番組が受信不可能でかつ強階層伝送の番組が受信可能であると判断されればステップｆ１３に移行し、第２の系統２１０で弱階層伝送の番組および強階層伝送の番組が共に受信不可能であると判断されればステップｆ１５に移行する。
【０１４４】
ステップｆ１３では、図９に示す第４の実施の形態におけるステップｅ１０と同様にして、第２の系統２１０で、選局しているチャンネルの弱階層伝送の番組と同一の内容の強階層伝送の番組を受信可能であるか否かを判断する。第２の系統２１０で受信しているチャンネルの弱階層伝送の番組の内容と強階層伝送の番組の内容とが同一であると判断するか、または選局しているチャンネルの弱階層伝送の番組と同一の内容の強階層伝送の番組を放送しているチャンネルがサーチによって見つかると、第１の系統２００で、選局しているチャンネルの弱階層伝送の番組と同一の内容の強階層伝送の番組を受信可能であると判断し、ステップｆ１４に移行する。第２の系統２１０で選局しているチャンネルの弱階層伝送の番組と同一の内容の強階層伝送の番組を放送しているチャンネルが見つからない場合は、第２の系統２１０で選局されているチャンネルの弱階層伝送の番組と同一の内容の強階層伝送の番組はない、すなわち第２の系統２１０では、選局しているチャンネルの弱階層伝送の番組と同一の内容の強階層伝送の番組を受信できないと判断し、ステップｆ１５に移行する。ステップｆ１４，ｆ１５については、図６のステップｃ１２，ｃ１３の動作と同一であるので、説明を省略する。
【０１４５】
以上のように本実施の形態のデジタル放送受信装置１Ａでは、選局制御部２２５は、第１の系統２００が弱階層伝送の番組を受信不可能でかつ第１の系統２００が強階層伝送の番組を受信可能である場合、第２の系統２１０が弱階層伝送の番組を受信可能であるか否かを判断し、受信不可能である場合には、ステップｆ７において、第１の系統２００で、選局されるチャンネルの弱階層伝送の番組と同一の内容の強階層伝送の番組が受信可能であるか否かを判断する。同一の内容の強階層伝送の番組が受信可能であれば、その強階層伝送の番組の映像信号および音声信号が第１の強階層映像／音声デコード部２０５から出力されて、映像表示部２２２および音声出力部２２３に与えられる。同一の内容の強階層伝送の番組が受信不可能であればステップｆ１２に移行し、第２の系統２１０が弱階層伝送の番組を受信不可能でかつ第２の系統２１０が強階層伝送の番組を受信可能であるか否かを判断する。
【０１４６】
さらに、第２の系統２１０が弱階層伝送の番組を受信不可能でかつ第２の系統２１０が強階層伝送の番組を受信可能である場合、ステップｆ１３において、第２の系統２１０で、選局されるチャンネルの弱階層伝送の番組と同一の内容の強階層伝送の番組が受信可能であるか否かを判断し、同一の内容の強階層伝送の番組が受信可能であれば、その強階層伝送の番組の映像信号および音声信号が第２の強階層映像／音声デコード部２１５から出力されて、映像表示部２２２および音声出力部２２３に与えられる。
【０１４７】
したがって、第４の実施の形態と同様に、第１および第２の系統２００，２１０で選局されるチャンネルの弱階層伝送の番組の内容と強階層伝送の番組の内容とが同一でない場合にも、利用者は、選局したチャンネルの番組と同一の内容の番組を視聴することができる。
【０１４８】
本実施の形態において番組比較ステップは、図１０に示すステップｆ７およびステップｆ１３に相当する。より詳細には、番組比較ステップは、ステップｆ７の第１の系統２００で受信しているチャンネルの弱階層伝送の番組の内容と強階層伝送の番組の内容とが同一であるか否かを判断するステップ、およびステップｆ１３の第２の系統２１０で受信しているチャンネルの弱階層伝送の番組の内容と強階層伝送の番組の内容とが同一であるか否かを判断するステップに相当する。第１の受信ステップは、利用者によって選局されたチャンネルである第１放送局Ａのチャンネルを第１の系統２００で受信するステップ、および図１０に示すステップｆ７の第１の系統２００に対して選局指示を行うステップに相当する。第２の受信ステップは、前述の図２に示すフローチャートに従った第２の系統２１０の動作、および図１０に示すステップｆ１３の第２の系統２１０に対して選局指示を行うステップに相当する。
【０１４９】
また本実施の形態では、ステップｆ７において、第１の系統２００で選局しているチャンネルの弱階層伝送の番組と同一の内容の強階層伝送の番組がないと判断されると、第１の系統２００で受信された強階層伝送の番組の映像信号および音声信号を映像表示部２２２および音声出力部２２３に出力させずにステップｆ１２に移行し、第２の系統２１０での受信の可否の検討に移る。またステップｆ１３において、第２の系統２１０で選局しているチャンネルの弱階層伝送の番組と同一の内容の強階層伝送の番組がないと判断されると、第２の系統２１０で受信された強階層伝送の番組の映像信号および音声信号を映像表示部２２２および音声出力部２２３に出力させずにステップｆ１５に移行し、順サーチを実行する。
【０１５０】
つまり本実施の形態では、第４の実施の形態と同様に、第１および第２の系統２００，２１０で、選局しているチャンネルの弱階層伝送の番組の内容と強階層伝送の番組の内容とが同一でなく、その選局しているチャンネルの弱階層伝送の番組と同一の内容の強階層伝送の番組がないと判断される場合に、第１の系統２００で弱階層伝送の番組が受信不可能であり、かつ第１の系統２１０による強階層伝送の番組の受信、第２の系統２１０による弱階層伝送の番組の受信および第２の系統２１０による強階層伝送の番組の受信のうち、少なくともいずれか１つが可能であると判断されると、受信可能な番組のうち、利用者によって選局されたチャンネル、すなわち第１の系統２００で選局されるチャンネルの弱階層伝送の番組と同一の内容の番組の映像信号および音声信号が選択されて出力される。
【０１５１】
したがって、本実施の形態では、利用者によって選局されるチャンネルの弱階層伝送の番組の内容と強階層伝送の番組の内容とが同一でない場合でも、利用者が選局したチャンネルの番組と同一の内容の番組を視聴できない時間を可及的に短くすることができる。
【０１５２】
また、本実施の形態のデジタル放送受信装置１Ａでは、選局制御部２２５は、第１の系統２００が弱階層伝送の番組を受信不可能でかつ第２の系統２１０が弱階層伝送の番組を受信可能であると判断すると、第２の系統２１０の弱階層映像／音声デコード部２１４から出力される映像信号および音声信号を選択して出力するように映像／音声デコード部選択部２２１を制御する。換言すれば、選局制御部２２５は、第１の系統２００で弱階層伝送の番組を受信できない場合、第１の系統２００で強階層伝送の番組を受信可能であっても、第２の系統２１０で弱階層伝送の番組を受信可能であれば、映像／音声デコード部選択部２２１を制御して、映像信号および音声信号を出力する映像／音声デコード部を、第１の弱階層映像／音声デコード部２０４から第２の弱階層映像／音声デコード部２１４に切換えて、第２の系統２１０で受信された弱階層伝送の番組の映像信号および音声信号を、第２の弱階層映像／音声デコード部２１４から出力させる。
【０１５３】
これによって、前述の第１の実施の形態のデジタル放送受信装置１に比べて、高品質な映像および音声を出力する可能性が高くなる。換言すれば、高品質な映像および音声から構成される弱階層の番組を利用者が視聴できる可能性を高めることができる。したがって、高品質な映像および音声から構成される弱階層の番組を利用者が視聴できる可能性を高めることができるとともに、利用者によって選局されたチャンネルの弱階層伝送の番組の内容と強階層伝送の番組の内容とが同一でない場合にも、利用者は、選局した番組と同一の内容の番組を視聴することができる。
【０１５４】
＜第６の実施の形態＞
次に本発明の第６の実施の形態のデジタル放送受信装置について説明する。本実施の形態のデジタル放送受信装置は、前述の第４の実施の形態のデジタル放送受信装置１Ａと構成が同一であるので、対応する箇所に同一の参照符を付して、第４の実施の形態と共通する説明を省略する。
【０１５５】
図１１は、本発明の第６の実施の形態におけるデジタル放送受信装置１Ａの選局制御部２２５の動作の処理手順を示すフローチャートである。図１１に示すフローチャートの選局制御部２２５の処理は、デジタル放送受信装置１Ａに電力が供給され、開始条件を満足した場合に、繰返し実行される。図１１に示すフローチャートでは、第１の系統２００または第２の系統２１０の受信状態が変化したときに本処理を開始し、ステップｇ１に移行する。図１１に示す本実施の形態における選局制御部２２５の動作は、前述の図７に示す第３の実施の形態、図９に示す第４の実施の形態および図１０に示す第５の実施の形態における各選局制御部２２５の動作と類似しているので、制御動作が異なる部分についてのみ詳しく説明し、図７に示す第３の実施の形態、図９に示す第４の実施の形態および図１０に示す第５の実施の形態における各選局制御部２２５の動作と同様の部分については、重複する説明を省略する。
【０１５６】
ステップｇ１，ｇ２，ｇ３，ｇ４については、図７のステップｄ１，ｄ２，ｄ３，ｄ４の動作と同一であるので、説明を省略する。ステップｇ５では、図７に示す第３の実施の形態におけるステップｄ５と同様に、第２の系統２１０で弱階層伝送の放送信号が受信可能であるか否か、すなわち第２の系統２１０で弱階層伝送の番組が受信可能であるか否かを判断する。本実施の形態では、ステップｇ５において、第２の系統２１０で弱階層伝送の番組が受信可能であればステップｇ６に移行し、受信不可能であれば、ステップｇ８に移行する。ステップｇ６，ｇ７については、図７のステップｄ６，ｄ７の動作と同一であるので、説明を省略する。
【０１５７】
ステップｇ８では、図９に示す第４の実施の形態におけるステップｅ４と同様にして、第１の系統２００で、選局しているチャンネルの弱階層伝送の番組と同一の内容の強階層伝送の番組を受信可能であるか否かを判断する。第１の系統２００で受信しているチャンネルの弱階層伝送の番組の内容と強階層伝送の番組の内容とが同一であると判断するか、または選局しているチャンネルの弱階層伝送の番組と同一の内容の強階層伝送の番組を放送しているチャンネルがサーチによって見つかると、第１の系統２００で、選局しているチャンネルの弱階層伝送の番組と同一の内容の強階層伝送の番組を受信可能であると判断し、ステップｇ９に移行する。第１の系統２００で選局しているチャンネルの弱階層伝送の番組と同一の内容の強階層伝送の番組を放送しているチャンネルが見つからない場合は、第１の系統２００で選局されているチャンネルの弱階層伝送の番組と同一の内容の強階層伝送の番組はない、すなわち第１の系統２００では、選局しているチャンネルの弱階層伝送の番組と同一の内容の強階層伝送の番組を受信できないと判断し、ステップｇ１３に移行する。ステップｇ９，ｇ１０，ｇ１１，ｇ１２については、図７のステップｄ８，ｄ９，ｄ１０，ｄ１１の動作と同一であるので、説明を省略する。
【０１５８】
ステップｇ１３では、図７に示す第３の実施の形態におけるステップｄ１２と同様に、第２の系統２１０で弱階層伝送の放送信号が受信不可能でかつ強階層伝送の放送信号が受信可能であるか否か、すなわち第２の系統２１０で弱階層伝送の番組が受信不可能でかつ強階層伝送の番組が受信可能であるか否かを判断する。本実施の形態では、ステップｇ１３において、第２の系統２１０で弱階層伝送の番組が受信不可能でかつ強階層伝送の番組が受信可能であると判断されればステップｇ１４に移行し、第２の系統２１０で弱階層伝送の番組および強階層伝送の番組が共に受信不可能であると判断されればステップｇ１６に移行する。
【０１５９】
ステップｇ１４では、図９に示す第４の実施の形態におけるステップｅ１０と同様にして、第２の系統２１０で、選局しているチャンネルの弱階層伝送の番組と同一の内容の強階層伝送の番組を受信可能であるか否かを判断する。第２の系統２１０で受信しているチャンネルの弱階層伝送の番組の内容と強階層伝送の番組の内容とが同一であると判断するか、または選局しているチャンネルの弱階層伝送の番組と同一の内容の強階層伝送の番組を放送しているチャンネルがサーチによって見つかると、第１の系統２００で、選局しているチャンネルの弱階層伝送の番組と同一の内容の強階層伝送の番組を受信可能であると判断し、ステップｇ１５に移行する。第２の系統２１０で選局しているチャンネルの弱階層伝送の番組と同一の内容の強階層伝送の番組を放送しているチャンネルが見つからない場合は、第２の系統２１０で選局されているチャンネルの弱階層伝送の番組と同一の内容の強階層伝送の番組はない、すなわち第２の系統２１０では、選局しているチャンネルの弱階層伝送の番組と同一の内容の強階層伝送の番組を受信できないと判断し、ステップｇ１６に移行する。ステップｇ１５，ｇ１６については、図７のステップｄ１３，ｄ１４の動作と同一であるので、説明を省略する。
【０１６０】
以上のように本実施の形態のデジタル放送受信装置１Ａでは、第５の実施の形態と同様に、選局制御部２２５は、第１の系統２００が弱階層伝送の番組を受信不可能でかつ第１の系統２００が強階層伝送の番組を受信可能である場合、第２の系統２１０が弱階層伝送の番組を受信可能であるか否かを判断し、受信不可能である場合には、ステップｇ８において、第１の系統２００で、選局されるチャンネルの弱階層伝送の番組と同一の内容の強階層伝送の番組が受信可能であるか否かを判断する。同一の内容の強階層伝送の番組が受信可能であれば、その強階層伝送の番組の映像信号および音声信号が第１の強階層映像／音声デコード部２０５から出力されて、映像表示部２２２および音声出力部２２３に与えられる。同一の内容の強階層伝送の番組が受信不可能であればステップｇ１３に移行し、第２の系統２１０が弱階層伝送の番組を受信不可能でかつ第２の系統２１０が強階層伝送の番組を受信可能であるか否かを判断する。
【０１６１】
さらに、第２の系統２１０が弱階層伝送の番組を受信不可能でかつ第２の系統２１０が強階層伝送の番組を受信可能である場合、ステップｇ１４において、第２の系統２１０で、選局されるチャンネルの弱階層伝送の番組と同一の内容の強階層伝送の番組が受信可能であるか否かを判断し、同一の内容の強階層伝送の番組が受信可能であれば、その強階層伝送の番組の映像信号および音声信号が第２の強階層映像／音声デコード部２１５から出力されて、映像表示部２２２および音声出力部２２３に与えられる。
【０１６２】
したがって、第４および第５の実施の形態と同様に、第１および第２の系統２００，２１０で選局されるチャンネルの弱階層伝送の番組の内容と強階層伝送の番組の内容とが同一でない場合にも、利用者は、選局したチャンネルの番組と同一の内容の番組を視聴することができる。
【０１６３】
本実施の形態において番組比較ステップは、図１１に示すステップｇ８およびステップｇ１４に相当する。より詳細には、番組比較ステップは、ステップｇ８の第１の系統２００で受信しているチャンネルの弱階層伝送の番組の内容と強階層伝送の番組の内容とが同一であるか否かを判断するステップ、およびステップｇ１４の第２の系統２１０で受信しているチャンネルの弱階層伝送の番組の内容と強階層伝送の番組の内容とが同一であるか否かを判断するステップに相当する。第１の受信ステップは、利用者によって選局されたチャンネルである第１放送局Ａのチャンネルを第１の系統２００で受信するステップ、および図１１に示すステップｇ８の第１の系統２００に対して選局指示を行うステップに相当する。第２の受信ステップは、前述の図２に示すフローチャートに従った第２の系統２１０の動作、および図１１に示すステップｇ１４の第２の系統２１０に対して選局指示を行うステップに相当する。
【０１６４】
また本実施の形態では、第４および第５の実施の形態と同様に、ステップｇ８において、第１の系統２００で選局しているチャンネルの弱階層伝送の番組と同一の内容の強階層伝送の番組がないと判断されると、第１の系統２００で受信された強階層伝送の番組の映像信号および音声信号を映像表示部２２２および音声出力部２２３に出力させずにステップｇ１３に移行し、第２の系統２１０での受信の可否の検討に移る。またステップｇ１４において、第２の系統２１０で選局しているチャンネルの弱階層伝送の番組と同一の内容の強階層伝送の番組がないと判断されると、第２の系統２１０で受信された強階層伝送の番組の映像信号および音声信号を映像表示部２２２および音声出力部２２３に出力させずにステップｇ１６に移行し、順サーチを実行する。
【０１６５】
つまり本実施の形態では、第４および第５の実施の形態と同様に、第１および第２の系統２００，２１０で、選局しているチャンネルの弱階層伝送の番組の内容と強階層伝送の番組の内容とが同一でなく、その選局しているチャンネルの弱階層伝送の番組と同一の内容の強階層伝送の番組がないと判断される場合に、第１の系統２００で弱階層伝送の番組が受信不可能であり、かつ第１の系統２１０による強階層伝送の番組の受信、第２の系統２１０による弱階層伝送の番組の受信および第２の系統２１０による強階層伝送の番組の受信のうち、少なくともいずれか１つが可能であると判断されると、受信可能な番組のうち、利用者によって選局されたチャンネル、すなわち第１の系統２００で選局されるチャンネルの弱階層伝送の番組と同一の内容の番組の映像信号および音声信号が選択されて出力される。
【０１６６】
したがって、本実施の形態では、利用者によって選局されるチャンネルの弱階層伝送の番組の内容と強階層伝送の番組の内容とが同一でない場合でも、利用者が選局したチャンネルの番組と同一の内容の番組を視聴できない時間を可及的に短くすることができる。
【０１６７】
また本実施の形態のデジタル放送受信装置１Ａでは、選局制御部２２５は、第１の系統２００および第２の系統２１０がデジタル放送信号を受信不可能であると判断すると、出力する映像信号および音声信号を切換えないように映像／音声デコード部選択部２２１を制御する。換言すれば、選局制御部２２５は、第１の系統２００および第２の系統２１０が同時に弱階層伝送および強階層伝送の番組を受信不可能になった場合、順サーチを行わずに、映像／音声デコード部選択部２２１によって、第１の系統２００の弱階層映像／音声デコード部２０４から出力される映像信号および音声信号を選択したままとする。
【０１６８】
これによって、不所望な順サーチを抑制することができるので、第１の系統２００および第２の系統２１０がデジタル放送信号を再び受信できるようになったときに、デジタル放送信号が受信できなくなる前に選局していたチャンネルの番組の映像および音声を即座に出力することができる。
【０１６９】
たとえば移動体がトンネルなどのデジタル放送を全く受信できない地域に入った場合、デジタル放送受信装置は、図１１のステップｇ１６の順サーチの動作を行わない。これによって、移動体がトンネルなどのデジタル放送を全く受信できない地域から出たときに、トンネルに入る前に利用者が視聴していた番組を即座に利用者に提示することができる。
【０１７０】
したがって本実施の形態では、前述の第５の実施の形態のデジタル放送受信装置に比べて、利用者が番組を視聴できない時間が、順サーチによって長くなることを防ぎ、利用者が番組を視聴できなくなる時間を短くすることができるとともに、利用者によって選局されたチャンネルの弱階層伝送の番組の内容と強階層伝送の番組の内容とが同一でない場合にも、利用者は、選局した番組と同一の内容の番組を視聴することができる。
【図面の簡単な説明】
【０１７１】
【図１】本発明の第１の実施の形態におけるデジタル放送受信装置１の構成を示すブロック図である。
【図２】本発明の第１の実施の形態におけるデジタル放送受信装置１の選局制御部２２５の動作の処理手順を示すフローチャートである。
【図３】本発明の第１の実施の形態におけるデジタル放送受信装置１の選局制御部２２５の動作の処理手順を示すフローチャートである。
【図４】第１放送局Ａおよび第２放送局Ｂから送信される放送信号の受信可能地域を示す図である。
【図５】第１放送局Ａおよび第２放送局Ｂから送信される放送信号の受信可能地域を示す図である。
【図６】本発明の第２の実施の形態におけるデジタル放送受信装置の選局制御部２２５の動作の処理手順を示すフローチャートである。
【図７】本発明の第３の実施の形態におけるデジタル放送受信装置の選局制御部２２５の動作の処理手順を示すフローチャートである。
【図８】本発明の第４の実施の形態におけるデジタル放送受信装置１Ａの構成を示すブロック図である。
【図９】本発明の第４の実施の形態におけるデジタル放送受信装置１Ａの選局制御部２２５の動作の処理手順を示すフローチャートである。
【図１０】本発明の第５の実施の形態におけるデジタル放送受信装置１Ａの選局制御部２２５の動作の処理手順を示すフローチャートである。
【図１１】本発明の第６の実施の形態におけるデジタル放送受信装置１Ａの選局制御部２２５の動作の処理手順を示すフローチャートである。
【符号の説明】
【０１７２】
１，１Ａ  デジタル放送受信装置、２００  第１の系統、２０１  第１のチューナ部、２０２  第１の復調部、２０３  第１のデマルチプレクス部、２０４  第１の弱階層映像／音声デコード部、２０５  第１の強階層映像／音声デコード部、２１０  第２の系統、２１１  第２のチューナ部、２１２  第２の復調部、２１３  第２のデマルチプレクス部、２１４  第２の弱階層映像／音声デコード部、２１５  第２の強階層映像／音声デコード部、２２１  映像／音声デコード部選択部、２２２  映像表示部、２２３  音声出力部、２２４  受信不可検出部、２２５  選局制御部、２２６  チャンネル記憶部、２２７  番組比較部。
【図１】
0005284733.tif 000002
【図２】
0005284733.tif 000003
【図３】
0005284733.tif 000004
【図４】
0005284733.tif 000005
【図５】
0005284733.tif 000006
【図６】
0005284733.tif 000007
【図７】
0005284733.tif 000008
【図８】
0005284733.tif 000009
【図９】
0005284733.tif 000010
【図１０】
0005284733.tif 000011
【図１１】
0005284733.tif 000012